(57)【要約】      （修正有）【課題】プリント物から音声を再生でき、かつ、良好な画像を観賞できるデータ再生システム、データ再生方法、データ再生端末、プリンタ及びサーバを提供する。【解決手段】再生システム１において、プリンタ付デジタルカメラ１０によりインスタントフィルム４２にプリントされた画像の画像データ及びその画像データに関連付けられた音声データが、アップロード端末３００によりデータ保管サーバ２００に保管される。画像と共にインスタントフィルムにプリントされた二次元コードをデータ再生端末４００で読み取ると、プリントされた画像の画像データ及びその画像データに関連付けられた音声データへのアクセス情報が取得される。データ再生端末は、取得したアクセス情報に基づいて、データ保管サーバにアクセスし、プリントされた画像の画像データ及び音声データをダウンロードして再生する。【選択図】図１
2020042732.tif 000002
【特許請求の範囲】
【請求項１】
メディアにプリントされた画像の画像データ、及び、当該画像データに関連付けられた音声データを保管するサーバと、
前記サーバから画像データ及び当該画像データに関連付けられた音声データをダウンロードして再生するデータ再生端末と、
を備えたデータ再生システムであって、
前記データ再生端末は、
画像を表示する表示部と、
音声を出力する音声出力部と、
記録情報を読み取る記録情報読取部と、
前記メディアにプリントされた画像の画像データへのアクセス情報を記録した記録情報であって、画像と共に前記メディアにプリントされた記録情報を前記記録情報読取部で読み取ることにより、前記メディアにプリントされた画像の画像データへのアクセス情報を取得するアクセス情報取得部と、
前記アクセス情報取得部で取得されたアクセス情報に基づいて、前記メディアにプリントされた画像の画像データ及び当該画像データに関連付けられた音声データを前記サーバからダウンロードするダウンロード部と、
前記ダウンロード部がダウンロードした画像データを前記表示部に表示させる表示制御部と、
前記ダウンロード部がダウンロードした音声データを前記音声出力部から出力させて再生する音声出力制御部と、
を備えたデータ再生システム。
【請求項２】
前記サーバには、画像中に記録情報を含まない画像データが保管される、
請求項１に記載のデータ再生システム。
【請求項３】
前記サーバには、画像中に記録情報を含む画像データが保管され、
前記表示制御部は、記録情報をマスクして画像データを前記表示部に表示させる、
請求項１に記載のデータ再生システム。
【請求項４】
音声データが関連付けられた画像データをプリントする場合に、プリントする画像データ及び当該画像データに関連付けられた音声データを前記サーバにアップロードするアップロード部と、
前記サーバにアップロードした画像データへのアクセス情報が記録された記録情報を生成する記録情報生成部と、
音声データが関連付けられた画像データをプリントする場合に、前記記録情報生成部で生成された記録情報を画像と共にプリントするプリント制御部と、
を備えたプリンタを更に備えた、
請求項１から３のいずれか１項に記載のデータ再生システム。
【請求項５】
前記プリンタは、
プリントする画像を電子的に撮影する撮影部と、
プリントする画像に関連付ける音声を集音する集音部と、
を更に備える、
請求項４に記載のデータ再生システム。
【請求項６】
受信したデータを前記サーバにアップロードするアップロード端末を更に備え、
前記アップロード部は、前記アップロード端末を介して、プリントする画像データ及び当該画像データに関連付けられた音声データを前記サーバにアップロードする、
請求項４又は５に記載のデータ再生システム。
【請求項７】
前記データ再生端末は、
音声を集音する集音部と、
前記表示部に表示された画像データに対して関連付ける音声データの書き換えを指示する音声データ書き換え指示部と、
前記音声データ書き換え指示部によって音声データの書き換えが指示された場合に、前記集音部を制御して書き換え用の音声データを取得する集音制御部と、
書き換えが指示された画像データの情報を付して、書き換え用の音声データを前記サーバにアップロードする書き換え用データアップロード部と、
を更に備え、
前記サーバは、
書き換え用の音声データを受信した場合に、書き換えが指示された画像データの音声データを受信した音声データで書き換える音声データ書き換え制御部を更に備える、
請求項１から６のいずれか１項に記載のデータ再生システム。
【請求項８】
前記サーバに保管される画像データは、プリントの際に特定される情報が固有の識別情報として付される、
請求項１から７のいずれか１項に記載のデータ再生システム。
【請求項９】
前記識別情報は、画像データをプリントしたプリンタの累積プリント回数の情報を含む、
請求項８に記載のデータ再生システム。
【請求項１０】
前記識別情報は、画像データをプリントしたプリンタの固有の識別番号の情報を更に含む、
請求項９に記載のデータ再生システム。
【請求項１１】
前記識別情報は、画像データをプリントした際のプリンタの機種の情報を更に含む、
請求項９又は１０に記載のデータ再生システム。
【請求項１２】
前記メディアにはトリミングされた画像がプリントされる、
請求項１から１１のいずれか１項に記載のデータ再生システム。
【請求項１３】
前記メディアがインスタントフィルムである、
請求項１から１２のいずれか１項に記載のデータ再生システム。
【請求項１４】
前記記録情報は、二次元コード、バーコード又は無線タグである、
請求項１から１３のいずれか１項に記載のデータ再生システム。
【請求項１５】
画像を表示する表示部と、
音声を出力する音声出力部と、
記録情報を読み取る記録情報読取部と、
メディアにプリントされた画像の画像データへのアクセス情報を記録した記録情報であって、画像と共に前記メディアにプリントされた記録情報を前記記録情報読取部で読み取ることにより、前記メディアにプリントされた画像の画像データへのアクセス情報を取得するアクセス情報取得部と、
前記アクセス情報取得部で取得されたアクセス情報に基づいて、前記メディアにプリントされた画像の画像データ及び当該画像データに関連付けられた音声データを保管先からダウンロードするダウンロード部と、
前記ダウンロード部がダウンロードした画像データを前記表示部に表示させる表示制御部と、
前記ダウンロード部がダウンロードした音声データを前記音声出力部から出力させて再生する音声出力制御部と、
を備えたデータ再生端末。
【請求項１６】
請求項４から６のいずれか１項に記載のデータ再生システムを構成するプリンタ。
【請求項１７】
請求項１から１３のいずれか１項に記載のデータ再生システムを構成するサーバ。
【請求項１８】
プリントする画像データ及び当該画像データに関連付けられた音声データを取得するステップと、
取得した画像データ及び当該画像データに関連付けられた音声データをサーバにアップロードするステップと、
前記サーバにアップロードした画像データへのアクセス情報が記録された記録情報を生成するステップと、
生成された記録情報を画像と共にメディアにプリントするステップと、
画像と共に前記メディアにプリントされた記録情報を読み取ることにより、前記メディアにプリントされた画像の画像データへのアクセス情報を取得するステップと、
取得したアクセス情報に基づいて、前記メディアにプリントされた画像の画像データ及び当該画像データに関連付けられた音声データを前記サーバからダウンロードするステップと、
ダウンロードした画像データを表示するステップと、
ダウンロードした音声データを再生するステップと、
を含むデータ再生方法。
【発明の詳細な説明】
【技術分野】
【０００１】
本発明は、データ再生システム、データ再生方法、データ再生端末、プリンタ及びサーバに関する。
【背景技術】
【０００２】
音声データが関連付けられた画像データをプリントする場合において、音声データを二次元コード等でコード化し、画像と共にプリントすることで、プリント物から音声の再生を可能にする技術が知られている（たとえば、特許文献１、２等）。
【０００３】
また、音声データが関連付けられた画像データをプリントする場合において、音声データをサーバにアップロードし、その音声データへのアクセス情報を二次元コード等でコード化し、画像と共にプリントすることで、プリント物から音声の再生を可能とする技術も知られている（たとえば、特許文献３、４等）。
【先行技術文献】
【特許文献】
【０００４】
【特許文献１】特開２００１−３２４７５７号公報
【特許文献２】特開２００７−１０４１０９号公報
【特許文献３】特開２００５−３４５６３２号公報
【特許文献４】特開２００６−２９３５８０号公報
【発明の概要】
【発明が解決しようとする課題】
【０００５】
しかしながら、画像と共に二次元コード等をプリントすると、画像を観賞する際の邪魔になるという欠点がある。特に、画像に重ねて二次元コード等をプリントすると、二次元コード等によって画像の一部が欠落してしまうという欠点がある。
【０００６】
本発明は、このような事情に鑑みてなされたもので、プリント物から音声を再生でき、かつ、良好な画像を観賞できるデータ再生システム、データ再生方法、データ再生端末、プリンタ及びサーバを提供することを目的とする。
【課題を解決するための手段】
【０００７】
（１）メディアにプリントされた画像の画像データ、及び、当該画像データに関連付けられた音声データを保管するサーバと、サーバから画像データ及び当該画像データに関連付けられた音声データをダウンロードして再生するデータ再生端末と、を備えたデータ再生システムであって、データ再生端末は、画像を表示する表示部と、音声を出力する音声出力部と、記録情報を読み取る記録情報読取部と、メディアにプリントされた画像の画像データへのアクセス情報を記録した記録情報であって、画像と共にメディアにプリントされた記録情報を記録情報読取部で読み取ることにより、メディアにプリントされた画像の画像データへのアクセス情報を取得するアクセス情報取得部と、アクセス情報取得部で取得されたアクセス情報に基づいて、メディアにプリントされた画像の画像データ及び当該画像データに関連付けられた音声データをサーバからダウンロードするダウンロード部と、ダウンロード部がダウンロードした画像データを表示部に表示させる表示制御部と、ダウンロード部がダウンロードした音声データを音声出力部から出力させて再生する音声出力制御部と、を備えたデータ再生システム。
【０００８】
本態様によれば、画像と共にメディアにプリントされた記録情報をデータ再生端末で読み取ると、メディアにプリントされた画像の画像データ及びその画像データに関連付けられた音声データへのアクセス情報を取得でき、その画像データ及び音声データを保管先のサーバからダウンロードして再生できる。
【０００９】
（２）サーバには、画像中に記録情報を含まない画像データが保管される、上記（１）のデータ再生システム。
【００１０】
本態様によれば、サーバには、画像中に記録情報を含まない画像データが保管される。これにより、データ再生端末で画像データを再生する際、記録情報のない画像を再生できる。
【００１１】
（３）サーバには、画像中に記録情報を含む画像データが保管され、表示制御部は、記録情報をマスクして画像データを表示部に表示させる、上記（１）のデータ再生システム。
【００１２】
本態様によれば、サーバには、画像中に記録情報を含む画像データが保管される。また、データ再生端末で当該画像データを再生する際は、記録情報がマスクされて再生される。これにより、記録情報が観賞の邪魔になるのを防止できる。
【００１３】
（４）音声データが関連付けられた画像データをプリントする場合に、プリントする画像データ及び当該画像データに関連付けられた音声データをサーバにアップロードするアップロード部と、サーバにアップロードした画像データへのアクセス情報が記録された記録情報を生成する記録情報生成部と、音声データが関連付けられた画像データをプリントする場合に、記録情報生成部で生成された記録情報を画像と共にプリントするプリント制御部と、を備えたプリンタを更に備えた、上記（１）から（３）のいずれか一のデータ再生システム。
【００１４】
本態様によれば、プリンタにおいて、プリントをトリガーとして、画像データ及び音声データがサーバにアップロードされる。
【００１５】
（５）プリンタは、プリントする画像を電子的に撮影する撮影部と、プリントする画像に関連付ける音声を集音する集音部と、を更に備える、上記（４）のデータ再生システム。
【００１６】
本態様によれば、プリンタに撮影機能が備えられる。
【００１７】
（６）受信したデータをサーバにアップロードするアップロード端末を更に備え、アップロード部は、アップロード端末を介して、プリントする画像データ及び当該画像データに関連付けられた音声データをサーバにアップロードする、上記（４）又は（５）のデータ再生システム。
【００１８】
本態様によれば、アップロード端末を介して、プリンタから画像データ及び音声データがサーバにアップロードされる。
【００１９】
（７）データ再生端末は、音声を集音する集音部と、表示部に表示された画像データに対して関連付ける音声データの書き換えを指示する音声データ書き換え指示部と、音声データ書き換え指示部によって音声データの書き換えが指示された場合に、集音部を制御して書き換え用の音声データを取得する集音制御部と、書き換えが指示された画像データの情報を付して、書き換え用の音声データをサーバにアップロードする書き換え用データアップロード部と、を更に備え、サーバは、書き換え用の音声データを受信した場合に、書き換えが指示された画像データの音声データを受信した音声データで書き換える音声データ書き換え制御部を更に備える、上記（１）から（６）のいずれか一のデータ再生システム。
【００２０】
本態様によれば、サーバに保管された音声データを事後的に書き換えることができる。
【００２１】
（８）サーバに保管される画像データは、プリントの際に特定される情報が固有の識別情報として付される、上記（１）から（７）のいずれか一のデータ再生システム。
【００２２】
本態様によれば、サーバに保管される画像データには、プリントの際に特定される情報が固有の識別情報として付される。
【００２３】
（９）識別情報は、画像データをプリントしたプリンタの累積プリント回数の情報を含む、上記（８）のデータ再生システム。
【００２４】
本態様によれば、画像データをプリントしたプリンタの累積プリント回数の情報が識別情報に含まれる。
【００２５】
（１０）識別情報は、画像データをプリントしたプリンタの固有の識別番号の情報を更に含む、上記（９）のデータ再生システム。
【００２６】
本態様によれば、画像データをプリントしたプリンタの固有の識別番号の情報が識別情報に含まれる。
【００２７】
（１１）識別情報は、画像データをプリントした際のプリンタの機種の情報を更に含む、上記（９）又は（１０）のデータ再生システム。
【００２８】
本態様によれば、画像データをプリントした際のプリンタの機種の情報が識別情報に含まれる。
【００２９】
（１２）メディアにはトリミングされた画像がプリントされる、上記（１）から（１１）のいずれか一のデータ再生システム。
【００３０】
本態様によれば、メディアにトリミングされた画像がプリントされる。
【００３１】
（１３）メディアがインスタントフィルムである、上記（１）から（１２）のいずれか一のデータ再生システム。
【００３２】
本態様によれば、プリント用のメディアにインスタントフィルムが用いられる。
【００３３】
（１４）記録情報は、二次元コード、バーコード又は無線タグである、上記（１）から（１３）のいずれか一のデータ再生システム。
【００３４】
本態様によれば、記録情報が、二次元コード、バーコード又は無線タグで構成される。
【００３５】
（１５）画像を表示する表示部と、音声を出力する音声出力部と、記録情報を読み取る記録情報読取部と、メディアにプリントされた画像の画像データへのアクセス情報を記録した記録情報であって、画像と共にメディアにプリントされた記録情報を記録情報読取部で読み取ることにより、メディアにプリントされた画像の画像データへのアクセス情報を取得するアクセス情報取得部と、アクセス情報取得部で取得されたアクセス情報に基づいて、メディアにプリントされた画像の画像データ及び当該画像データに関連付けられた音声データを保管先からダウンロードするダウンロード部と、ダウンロード部がダウンロードした画像データを表示部に表示させる表示制御部と、ダウンロード部がダウンロードした音声データを音声出力部から出力させて再生する音声出力制御部と、を備えたデータ再生端末。
【００３６】
（１６）上記（４）から（６）のいずれか一のデータ再生システムを構成するプリンタ。
【００３７】
（１７）上記（１）から（１３）のいずれか一のデータ再生システムを構成するサーバ。
【００３８】
（１８）プリントする画像データ及び当該画像データに関連付けられた音声データを取得するステップと、取得した画像データ及び当該画像データに関連付けられた音声データをサーバにアップロードするステップと、サーバにアップロードした画像データへのアクセス情報が記録された記録情報を生成するステップと、生成された記録情報を画像と共にメディアにプリントするステップと、画像と共にメディアにプリントされた記録情報を読み取ることにより、メディアにプリントされた画像の画像データへのアクセス情報を取得するステップと、取得したアクセス情報に基づいて、メディアにプリントされた画像の画像データ及び当該画像データに関連付けられた音声データをサーバからダウンロードするステップと、ダウンロードした画像データを表示するステップと、ダウンロードした音声データを再生するステップと、を含むデータ再生方法。
【発明の効果】
【００３９】
本発明によれば、プリント物から音声を再生でき、かつ、良好な画像を観賞できる。
【図面の簡単な説明】
【００４０】
【図１】本発明が適用されたデータ保管及び再生システムの一実施形態を示すシステム構成図
【図２】プリンタ付きデジタルカメラの一例を示す正面斜視図
【図３】図２に示すプリンタ付きデジタルカメラの背面斜視図
【図４】プリンタ部分の概略構成を示す断面図
【図５】インスタントフィルムパックの斜視図
【図６】インスタントフィルムの正面図
【図７】インスタントフィルムの背面図
【図８】プリンタ付きデジタルカメラの電気的構成を示すブロック図
【図９】カメラ制御部が実現する主な機能のブロック図
【図１０】データ保管サーバのハードウェア構成の一例を示すブロック図
【図１１】データ保管サーバが提供する主な機能のブロック図
【図１２】アップロード端末のハードウェア構成の一例を示すブロック図
【図１３】アップロード端末が提供する主な機能のブロック図
【図１４】データ再生端末のハードウェア構成の一例を示すブロック図
【図１５】データ再生端末が提供する主な機能のブロック図
【図１６】各モードへの設定の手順を示すフローチャート
【図１７】マニュアルプリントモードでの動作手順を示すフローチャート
【図１８】マニュアルプリントモードにおいて、録音モードがオフの場合の動作手順を示すフローチャート
【図１９】マニュアルプリントモードにおいて、通常録音モードがオンされた場合の動作手順を示すフローチャート
【図２０】マニュアルプリントモードにおいて、アフレコモードがオンされた場合の動作手順を示すフローチャート
【図２１】アフレコモードでのプレビュー画面の一例を示す図
【図２２】オートプリントモードでの動作手順を示すフローチャート
【図２３】オートプリントモードにおいて、録音モードがオフの場合の動作手順を示すフローチャート
【図２４】オートプリントモードにおいて、通常録音モードがオンされた場合の動作手順を示すフローチャート
【図２５】オートプリントモードにおいて、アフレコモードがオンされた場合の動作手順を示すフローチャート
【図２６】再生モードでの動作手順を示すフローチャート
【図２７】音声付きの画像データを表示する場合のディスプレイの表示の一例を示す図
【図２８】画像をプリントする際の処理の手順を示すフローチャート
【図２９】アップロード処理の手順を示すフローチャート
【図３０】アップロード処理のシーケンス図
【図３１】通信不能又はアップロード処理に失敗した場合の処理の手順を示すフローチャート
【図３２】音声付きの画像データをプリントする場合におけるプリント用の画像データの生成の概念図
【図３３】音声付きの画像データのプリント結果の一例を示す図
【図３４】画像データ及び音声データをダウンロードして再生する処理の手順を示すフローチャート
【図３５】ダウンロード処理のシーケンス図
【図３６】インスタントフィルムにプリントされる画像とデータ再生端末で再生される画像との比較した図
【図３７】プリンタ付きデジタルカメラにおいて、撮影後に音声付きの画像データを生成する場合の処理の手順を示すフローチャート
【図３８】録音処理の手順を示すフローチャート
【図３９】プリンタ付きデジタルカメラにおいて、音声データを書き換える場合の処理の手順を示すフローチャート
【図４０】音声データを書き換える場合の録音処理の手順を示すフローチャート
【図４１】データをアップロードした場合の画像データのファイル構造の一例を示す図
【図４２】二次元コードをプリントする場合のプリントの他の一例を示す図
【図４３】プリンタ付きデジタルカメラのディスプレイに表示されるプリントのイメージの遷移図
【図４４】データ保管サーバに保管された音声データの書き換えを可能にするシステムの一例を示すシステム構成図
【図４５】音声データの書き換えの手順を示すシーケンス図
【発明を実施するための形態】
【００４１】
以下、添付図面に従って本発明の好ましい実施の形態について詳説する。
【００４２】
［システムの構成］
図１は、本発明が適用されたデータ保管及び再生システムの一実施形態を示すシステム構成図である。
【００４３】
本実施の形態のデータ保管及び再生システム１は、プリンタ付きデジタルカメラで音声付きの画像データをプリントした場合に、その画像データ及び音声データをデータ保管サーバにアップロードし、必要に応じて、スマートフォンなどの端末でその再生を可能とするシステムである。プリンタ付きデジタルカメラは、音声付きの画像データをプリントする際、データの保管先へのアクセス情報を付して、画像データをプリントする。ユーザは、そのアクセス情報をスマートフォンなど端末で読み取り、対象のデータをデータ保管サーバからダウンロードして再生する。
【００４４】
図１に示すように、データ保管及び再生システム１は、プリンタ付きデジタルカメラ１０と、プリンタ付きデジタルカメラ１０でプリントされた画像の画像データ及びその画像データに関連付けられた音声データが保管されるデータ保管サーバ２００と、プリンタ付きデジタルカメラ１０からデータ保管サーバ２００にデータをアップロードするためのアップロード端末３００と、データ保管サーバ２００に保管された画像データ及びその画像データに関連付けられた音声データをダウンロードして再生するデータ再生端末４００と、を備える。
【００４５】
アップロード端末３００、通信機能を備えたコンピュータ、特に、スマートフォン、タブレット端末、ノート型パソコン、ＰＤＡ(Personal Data Assistance)等のモバイルコンピュータで構成される。プリンタ付きデジタルカメラ１０とアップロード端末３００との間の通信は、たとえば、ＮＦＣ（Near Field Communication）規格、ＢｌｕｅＴｏｏｔｈ（登録商標）、ＷｉＦｉ（Wireless Fidelity）等の近距離無線通信規格に沿った通信が行われる。
【００４６】
データ再生端末４００は、撮影機能及び通信機能を備えたコンピュータ、特に、スマートフォン、タブレット端末、ノート型パソコン、ＰＤＡ(Personal Data Assistance)等のカメラ付きのモバイルコンピュータで構成される。
【００４７】
データ保管サーバ２００とアップロード端末３００及びデータ再生端末４００との間の通信は、通信ネットワーク２を介して行われる。この通信ネットワーク２は、たとえば、３Ｇ(3rd Generation)、ＷｉＭＡＸ(Worldwide Interoperability for Microwave Access)、ＬＴＥ(Long Term Evolution)等の無線通信網及び各基地局２ａ、並びに、インターネットによって構築される。
【００４８】
また、データ保管サーバ２００とアップロード端末３００及びデータ再生端末４００との間の通信プロトコルは、たとえば、ハイパーテキスト通信プロトコル（ＨＴＴＰ：Hyper Text Transfer Protocol）によるＨＴＴＰ通信である。アップロード端末３００及びデータ再生端末４００はＨＴＴＰクライアントに相当し、データ保管サーバ２００はＨＴＴＰサーバに相当する。
【００４９】
なお、本実施の形態のデータ保管及び再生システム１では、プリンタ付きデジタルカメラ１０、データ保管サーバ２００及びアップロード端末３００が、データ保管システムを構成し、データ保管サーバ及びデータ再生端末４００が、データ再生システムを構成する。
【００５０】
《プリンタ付きデジタルカメラ》
プリンタ付きデジタルカメラ１０は、プリンタを内蔵したデジタルカメラであり、撮影した画像をその場でプリントする機能を有する。本実施の形態のプリンタ付きデジタルカメラ１０は、インスタントフィルムパックを使用して、インスタントフィルムにプリントする。また、本実施の形態のプリンタ付きデジタルカメラ１０は、録音機能を有し、撮影した画像に関連付けて音声を記録する機能を有する。
【００５１】
〈外観構成〉
図２は、プリンタ付きデジタルカメラの一例を示す正面斜視図である。図３は、図２に示すプリンタ付きデジタルカメラの背面斜視図である。
【００５２】
図２及び図３に示すように、プリンタ付きデジタルカメラ１０は、携帯可能なカメラボディ１２を有する。カメラボディ１２は、前後方向の厚みが薄く、横方向の寸法に比して縦方向の寸法が長い、縦長の直方体形状を有する。
【００５３】
カメラボディ１２の正面側には、図２に示すように、撮影レンズ１４、レリーズボタン１６、録音ボタン１８、ストロボ発光窓２０等が備えられる。また、カメラボディ１２の一方側の側面には、電源ボタン２２ａ、メニューボタン２２ｂ、ＯＫボタン２２ｃ、モード切替えボタン２２ｄ、マイク穴２４、スピーカ穴２６等が備えられる。レリーズボタン１６は、画像の記録を指示するボタンである。録音ボタン１８は、録音モードを切り替えるボタンである。電源ボタン２２ａは、プリンタ付きデジタルカメラ１０の電源をオン及びオフするボタンである。メニューボタン２２ｂは、メニュー画面を呼び出すボタンである。ＯＫボタンは、ＯＫを指示するボタンである。モード切替えボタン２２ｄは、撮影モードにおいて、オートプリントモードとマニュアルプリントモードとを切り替えるボタンである。
【００５４】
カメラボディ１２の背面側には、図３に示すように、ディスプレイ２８、フィルム蓋カバー３０、各種操作ボタン類が備えられる。フィルム蓋カバー３０は、フィルム装填室を開閉するカバーである。操作ボタン類には、ジョイスティック３２ａ、プリントボタン３２ｂ、再生ボタン３２ｃ、キャンセルボタン３２ｄ等が含まれる。プリントボタン３２ｂは、プリントを指示するボタンである。再生ボタン３２ｃは、再生モードへの切り替えを指示するボタンである。キャンセルボタン３２ｄは、操作のキャンセルを指示するボタンである。
【００５５】
カメラボディ１２の上面には、図２及び図３に示すように、フィルム排出口３４が備えられる。プリントされたインスタントフィルムは、このフィルム排出口３４から排出される。
【００５６】
〈プリンタ付きデジタルカメラのプリンタ部分の構成〉
図４は、プリンタ部分の概略構成を示す断面図である。
【００５７】
同図に示すように、プリンタ付きデジタルカメラ１０は、プリント部であるプリンタ部分の構成要素として、フィルム装填室５０、フィルム送出機構５２、フィルム搬送機構５４、プリントヘッド５６等を備える。
【００５８】
フィルム装填室５０は、インスタントフィルムパック４０の装填部である。フィルム装填室５０は、インスタントフィルムパック４０が嵌まる凹部を有し、フィルム蓋カバー３０によって開閉される。フィルム装填室５０は、フィルム蓋カバー３０が閉じられることにより、暗室状態で密閉される。
【００５９】
インスタントフィルムパック４０は、複数枚のインスタントフィルム４２がケース４４に収容された構造を有する。
【００６０】
図５は、インスタントフィルムパックの斜視図である。また、図６は、インスタントフィルムの正面図であり、図７は、インスタントフィルムの背面図である。なお、図５から図７において、矢印Ｆで示す方向は、インスタントフィルム４２の送り方向である。インスタントフィルム４２は、矢印Ｆで示す方向に送られてケース４４から排出される。
【００６１】
インスタントフィルム４２は、プリント用のメディアの一例である。インスタントフィルム４２は、いわゆる「モノシートタイプ」（シートフィルム方式、integral filmなどとも称される）のインスタントフィルムであり、露光面の裏に像が現れる方式のインスタントフィルムである。インスタントフィルム４２は、矩形のカード形状を有する。インスタントフィルム４２は、一方側の面が露光面４２ａ、他方側の面が観察面４２ｂとして構成される。露光面４２ａが、露光により像を記録する面であり、観察面４２ｂが、記録された像を観察する面である。
【００６２】
図７に示すように、インスタントフィルム４２の露光面４２ａには、露光領域４２ｃ、ポッド部４２ｄ、及び、トラップ部４２ｆが備えられる。
【００６３】
露光領域４２ｃは、露光により画像を記録する領域である。露光領域４２ｃが、インスタントフィルム４２のプリント可能領域となる。露光領域４２ｃを挟んで、ポッド部４２ｄとトラップ部４２ｆとが送り方向Ｆの前後に配置される。
【００６４】
ポッド部４２ｄは、露光領域４２ｃに対して送り方向Ｆの前側に配置される。ポッド部４２ｄには、現像処理液を内包した現像処理液ポッド４２ｅが内蔵される。
【００６５】
トラップ部４２ｆは、露光領域４２ｃに対して送り方向Ｆの後側に配置される。トラップ部４２ｆには、吸収材４２ｇが内蔵される。
【００６６】
図６に示すように、インスタントフィルム４２の観察面４２ｂには、観察領域４２ｈが備えられる。観察領域４２ｈは、画像が表示される領域である。露光領域４２ｃを現像処理することにより、観察領域４２ｈに画像が表示される。観察領域４２ｈは、露光領域４２ｃに対応して配置される。観察領域４２ｈの周囲には、枠４２ｉが備えられる。したがって、画像は枠内に表示される。また、観察領域４２ｈは、露光領域４２ｃよりも若干狭く設定される（一回り小さく設定される。）。したがって、露光領域４２ｃの全域に画像を記録した場合、周囲がトリミングされた画像がプリントされる。
【００６７】
なお、インスタントフィルム４２は、トラップ部４２ｆが上、ポッド部４２ｄが下となる向きで観賞する。したがって、画像は、トラップ部４２ｆが上、ポッド部４２ｄが下となる向きでプリントされる。
【００６８】
インスタントフィルム４２は、露光後、ポッド部４２ｄの現像処理液を露光領域４２ｃに展開させることにより現像処理される。ポッド部４２ｄの現像処理液は、インスタントフィルム４２を展開ローラ対５４Ｂの間に通すことで、ポッド部４２ｄから絞り出され、露光領域４２ｃに展開される。展開処理時に余った現像処理液が、トラップ部４２ｆで捕捉される。
【００６９】
ケース４４は、矩形の箱形状を有する。ケース４４は、正面部分に矩形状の露光用開口４４ａを有する。また、ケース４４は、天面部分にスリット状の排出口４４ｂを有する。インスタントフィルム４２は、露光面４２ａをケース４４の正面側（露光用開口４４ａ側）に向け、かつ、ポッド部４２ｄをケース４４の天面側（排出口４４ｂ側）に向けて、ケース内に重ねて収容される。また、ケース４４は、底面部分にスリット状のクロー開口部４４ｃを有する。ケース４４に収容されたインスタントフィルム４２は、このクロー開口部４４ｃからクロー５２ａを進入させることにより、１枚ずつ排出口４４ｂに向けて送られ、排出口４４ｂから排出される。
【００７０】
１つのインスタントフィルムパック４０には、複数枚（たとえば１０枚）のインスタントフィルム４２が収容される。
【００７１】
フィルム送出機構５２は、フィルム装填室５０に装填されたインスタントフィルムパック４０からインスタントフィルム４２を１枚ずつ送り出す。フィルム送出機構５２は、インスタントフィルム４２の送り方向に沿って前後移動するクロー５２ａを備え、そのクロー５２ａによってケース内のインスタントフィルム４２を１枚ずつ掻き出して、インスタントフィルム４２をインスタントフィルムパック４０から送り出す。
【００７２】
フィルム搬送機構５４は、フィルム送出機構５２によってインスタントフィルムパック４０から送出されたインスタントフィルム４２を一定速度で搬送する。フィルム搬送機構５４は、搬送ローラ対５４Ａ及び展開ローラ対５４Ｂを備える。搬送ローラ対５４Ａは、図示しないモータに駆動されて回転し、インスタントフィルム４２の両サイドを挟持して搬送する。展開ローラ対５４Ｂは、図示しないモータに駆動されて回転し、インスタントフィルム４２の全体を挟持して搬送する。インスタントフィルム４２は、展開ローラ対５４Ｂによって搬送される過程でポッド部４２ｄが押し潰されて、現像処理される。
【００７３】
プリントヘッド５６は、インスタントフィルムパック４０から送り出されたインスタントフィルム４２に画像を記録する。プリントヘッド５６は、ライン型の露光ヘッドで構成される。プリントヘッド５６は、フィルム搬送機構５４によって搬送されるインスタントフィルム４２の露光面４２ａに１ラインずつプリント光を照射し、シングルパスでインスタントフィルム４２に画像を記録する。
【００７４】
〈プリンタ付きデジタルカメラの電気的構成〉
図８は、プリンタ付きデジタルカメラの電気的構成を示すブロック図である。
【００７５】
同図に示すように、プリンタ付きデジタルカメラ１０は、撮影レンズ１４、レンズ駆動部６２、イメージセンサ６４、イメージセンサ駆動部６６、アナログ信号処理部６８、デジタル信号処理部７０、メモリ７２、メモリコントローラ７４、ディスプレイ２８、表示コントローラ７６、近距離無線通信部７８、アンテナ８０、フィルム送出駆動部８２、フィルム搬送駆動部８４、ヘッド駆動部８６、ストロボ８８、ストロボ発光制御部９０、マイクロフォン９２、スピーカ９４、音声信号処理部９６、操作部９８、カメラ制御部１００等を備える。
【００７６】
撮影レンズ１４は、被写体の光学像をイメージセンサ６４の受光面上に結像させる。撮影レンズ１４は、焦点調節機能を有し、図示しない絞り及びシャッタを備える。レンズ駆動部６２は、撮影レンズ１４の焦点調節機能を駆動するモータ及びその駆動回路、絞りを駆動するモータ及びその駆動回路、並びに、シャッタを駆動するモータ及びその駆動回路を含み、カメラ制御部１００からの指令に応じて、焦点調節機構、絞り及びシャッタを動作させる。
【００７７】
イメージセンサ６４は、たとえば、ＣＣＤイメージセンサ（CCD：Charge Coupled Device）、ＣＭＯＳイメージセンサ（CMOS：Complementary Metal Oxide Semiconductor）等の二次元の固体撮像素子で構成される。イメージセンサ６４は、使用するインスタントフィルムのプリント可能領域に対応したアスペクト比の撮像領域を有する。イメージセンサ駆動部６６は、イメージセンサ６４の駆動回路を含み、カメラ制御部１００からの指令に応じて、イメージセンサ６４を動作させる。
【００７８】
本実施の形態のプリンタ付きデジタルカメラ１０では、撮影レンズ１４及びイメージセンサ６４が撮影部を構成する。
【００７９】
アナログ信号処理部６８は、イメージセンサ６４から出力される画素ごとのアナログの画像信号を取り込み、所定の信号処理（たとえば、相関二重サンプリング処理、増幅処理等）を施し、デジタル化して出力する。
【００８０】
デジタル信号処理部７０は、アナログ信号処理部６８から出力されるデジタルの画像信号を取り込み、所定の信号処理（たとえば、階調変換処理、ホワイトバランス補正処理、ガンマ補正処理、同時化処理、ＹＣ変換処理等）を施して、画像データを生成する。
【００８１】
メモリ７２は、撮影により得られた画像データ及び音声データを記憶する。メモリ７２は、記憶部の一例である。メモリコントローラ７４は、カメラ制御部１００による制御の下、メモリ７２にデータを読み書きする。
【００８２】
ディスプレイ２８は、たとえば、液晶ディスプレイ（Liquid Crystal Display；ＬＣＤ)、有機エレクトロルミネッセンスディスプレイ（Organic Electro-Luminescence Display；ＯＥＬＤ）、プラズマディスプレイ、電界放出ディスプレイ（Field Emission Display；ＦＥＤ)、電子ペーパ等で構成される。表示コントローラ７６は、カメラ制御部１００による制御の下、ディスプレイ２８に映像を表示させる。
【００８３】
近距離無線通信部７８は、カメラ制御部１００による制御の下、アンテナ８０を介して外部機器と無線で通信する。通信は、たとえば、ＮＦＣ規格、ＢｌｕｅＴｏｏｔｈ、ＷｉＦｉ等の近距離無線通信で行われる。
【００８４】
フィルム送出駆動部８２は、フィルム送出機構５２のクロー５２ａを駆動するモータ、及び、その駆動回路を含み、カメラ制御部１００による制御の下、クロー５２ａのモータを駆動して、クロー５２ａを動作させる。
【００８５】
フィルム搬送駆動部８４は、フィルム搬送機構５４の搬送ローラ対５４Ａを駆動するモータ及びその駆動回路、並びに、展開ローラ対５４Ｂを駆動するモータ及びその駆動回路を含み、カメラ制御部１００による制御の下、搬送ローラ対５４Ａのモータ及び展開ローラ対５４Ｂのモータを駆動して、搬送ローラ対５４Ａ及び展開ローラ対５４Ｂを動作させる。
【００８６】
ヘッド駆動部８６は、プリントヘッド５６の駆動回路を含み、カメラ制御部１００の制御の下、プリントヘッド５６を駆動する。
【００８７】
ストロボ８８は、光源として、たとえば、キセノン管、ＬＥＤ（Light Emitting Diode）等を備え、その光源を発光させて、被写体にストロボ光を照射する。ストロボ光は、カメラボディ１２の正面に備えられたストロボ発光窓２０（図２参照）から照射される。ストロボ発光制御部９０は、ストロボ８８の駆動回路を含み、カメラ制御部１００からの指令に応じて、ストロボ８８を発光させる。
【００８８】
マイクロフォン９２は、カメラボディ１２に備えられたマイク穴２４（図２参照）を介して外部の音声を集音する。マイクロフォン９２は、集音部の一例である。スピーカ９４は、カメラボディ１２に備えられたスピーカ穴２６から外部に音声を出力する。音声信号処理部９６は、マイクロフォン９２から入力される音声信号に所定の信号処理を施し、デジタル化して出力する。また、音声信号処理部９６は、カメラ制御部１００から与えられる音声データに所定の信号処理を施して、スピーカ９４から出力させる。
【００８９】
操作部９８は、レリーズボタン１６、録音ボタン１８、電源ボタン２２ａ、メニューボタン２２ｂ、ＯＫボタン２２ｃ、ジョイスティック３２ａ、プリントボタン３２ｂ、再生ボタン３２ｃ、キャンセルボタン３２ｄ等の各種操作部材、及び、その信号処理回路を含み、各操作部材の操作に基づく信号をカメラ制御部１００に出力する。
【００９０】
カメラ制御部１００は、プリンタ付きデジタルカメラ１０の全体の動作を統括制御する制御部であり、ＣＰＵ（CPU：Central Processing Unit）、ＲＯＭ（ROM：Read Only Memory）、ＲＡＭ（RAM：Random Access Memory）等を備えたコンピュータで構成される。当該コンピュータは、所定の制御プログラムを実行することにより、カメラ制御部１００として各種機能を実現する。
【００９１】
図９は、カメラ制御部が実現する主な機能のブロック図である。
【００９２】
同図に示すように、カメラ制御部１００は、所定の制御プログラムを実行することにより、撮影制御部１００Ａ、録音制御部１００Ｂ、識別情報生成部１００Ｃ、アップロード部１００Ｄ、通信管理部１００Ｅ、二次元コード生成部１００Ｆ、プリント制御部１００Ｇ及び再生制御部１００Ｈ等として機能する。
【００９３】
撮影制御部１００Ａは、撮影を制御する。すなわち、撮影部である撮影レンズ１４及びイメージセンサ６４を制御して画像を撮影し、撮影により得られた画像データをメモリ７２に記録する処理を行う。なお、撮影の際にはライブビューの処理を行う。すなわち、イメージセンサ６４で捉えた映像をディスプレイ２８にリアルタイムに表示させる。これにより、ディスプレイ２８をライブビューモニタとして使用しながら撮影できる。記録用の撮影は、レリーズボタン１６の押下により行われる。
【００９４】
録音制御部１００Ｂは、録音を制御する。音声付き画像を撮影する場合、録音制御部１００Ｂは、マイクロフォン９２を介して音声データを取得し、得られた音声データを撮影により得られた画像データに関連付けてメモリ７２に記録する処理を行う。また、撮影済みの画像に音声を付加する場合、録音制御部１００Ｂは、マイクロフォン９２を介して音声データを取得し、得られた音声データを対象の画像データに関連付けてメモリ７２に記録する処理を行う。更に、撮影済みの音声付き画像に対して音声の書き換えが指示された場合、録音制御部１００Ｂは、マイクロフォン９２を介して音声データを取得し、得られた音声データで対象の画像データの音声データを書き換える処理を行う。
【００９５】
識別情報生成部１００Ｃは、音声付きの画像データ（音声データが関連付けられた画像データ）をプリントする場合に、所定の識別情報を生成する処理を行う。後述するように、音声付きの画像データをプリントする場合、その画像データ及び音声データが、データ保管サーバ２００に保管される。識別情報は、画像データ及び音声データをデータ保管サーバ２００で保管する際に使用される。すなわち、データ保管サーバ２００で、データを特定するために使用される。この点については、後に更に詳述する。
【００９６】
アップロード部１００Ｄは、画像データ及び音声データをデータ保管サーバ２００にアップロードする処理を行う。なお、本実施の形態のプリンタ付きデジタルカメラ１０において、データは、アップロード端末３００を介してデータ保管サーバ２００にアップロードされる。したがって、アップロード部１００Ｄは、アップロード端末３００にデータを送信する。
【００９７】
通信管理部１００Ｅは、アップロード端末３００との間の通信を管理する。より具体的には、アップロード端末３００との間の通信の接続状態を管理し、アップロード端末３００へのデータの送信の可否を判断する。
【００９８】
二次元コード生成部１００Ｆは、音声付きの画像データをプリントする場合に、所定の情報をコード化した二次元コードを生成する。上記のように、音声付きの画像データをプリントする場合、その画像データ及び音声データが、データ保管サーバ２００に保管される。二次元コード生成部１００Ｆは、データ保管サーバ２００に保管された画像データ及び音声データへのアクセス情報をコード化した二次元コードを生成する。二次元コードは記録情報の一例であり、二次元コード生成部１００Ｆは、記録情報生成部の一例である。二次元コードは、たとえば、ＱＲコード（登録商標）で構成される。
【００９９】
プリント制御部１００Ｇは、プリントの制御を行う。プリントは、まず、プリントが指示された画像データからプリント用の画像データを生成する。次いで、生成したプリント用の画像データに基づいてプリントヘッド５６を駆動し、画像をインスタントフィルム４２にプリントする。したがって、プリント制御部１００Ｇは、プリント用画像データ生成部及びプリント駆動部としての機能を有する。プリント用画像データ生成部は、プリント用の画像データを生成する処理を行い、プリント駆動部は、プリントヘッド５６、フィルム送出機構５２及びフィルム搬送機構５４を駆動する処理を行う。
【０１００】
なお、音声付きの画像データをプリントする場合、プリント制御部１００Ｇは、二次元コードを付して画像をプリントする。具体的には、プリント用の画像データとして、二次元コードを合成した画像データを生成し、生成した二次元コード付きの画像データをプリントする。二次元コードは、画像の一部に重ねて合成される。この点については、後に更に詳述する。
【０１０１】
再生制御部１００Ｈは、記録済み画像の再生を制御する。すなわち、メモリ７２から画像データを読み出し、ディスプレイ２８に表示する処理を行う。この際、再生対象の画像データが音声付きの画像データの場合、音声データを読み出して、スピーカ９４から出力させる。画像のコマ送りは、ジョイスティック３２ａの操作で行われる。
【０１０２】
《データ保管サーバ》
データ保管サーバ２００は、プリンタ付きデジタルカメラ１０で撮影された画像データ及びその画像データに関連付けられた音声データを保管する。データ保管サーバ２００は、サーバの一例である。データ保管サーバ２００は、一般的なサーバコンピュータで構成される。
【０１０３】
図１０は、データ保管サーバのハードウェア構成の一例を示すブロック図である。
【０１０４】
同図に示すように、データ保管サーバ２００は、全体の動作を制御するＣＰＵ２０１、ＩＰＬ（Initial Program Loader）等のＣＰＵ２０１の駆動に用いられるプログラムを記憶したＲＯＭ２０２、ＣＰＵ２０１のワークエリアとして使用されるＲＡＭ２０３、データ保管サーバ２００用の各種プログラム及び各種データを記憶するＨＤＤ(Hard Disk Drive)２０４、ディスプレイ２０５、通信ネットワーク２を利用してデータ通信するためのネットワークＩ／Ｆ２０６（Ｉ／Ｆ：interface）、キーボード２０７、マウス２０８、光学ドライブ２１０等を備える。
【０１０５】
図１１は、データ保管サーバが提供する主な機能のブロック図である。
【０１０６】
同図に示すように、データ保管サーバ２００は、ＣＰＵ２０１が所定のプログラムを実行することにより、データ受信制御部２００Ａ、データ管理部２００Ｂ及びデータ送信制御部２００Ｃとして機能する。
【０１０７】
データ受信制御部２００Ａは、通信ネットワーク２を介してアップロード端末３００と通信し、アップロード端末３００から保管用のデータを受信する。
【０１０８】
データ管理部２００Ｂは、アップロード端末３００から受信したデータを記憶部に記録する処理、及び、データ再生端末４００からのダウンロードの要求に応じて、該当するデータを記憶部から読み出す処理等を行う。記憶部は、ＨＤＤ２０４で構成される。データ管理部２００Ｂは、所定のデータベースを構築して、ＨＤＤ２０４に画像データ及びその画像データに関連付けられた音声データを記憶する。
【０１０９】
データ送信制御部２００Ｃは、通信ネットワーク２を介してデータ再生端末４００と通信し、データ再生端末４００からのデータのダウンロード要求に応じて、対応するデータをデータ再生端末４００に送信する。
【０１１０】
《アップロード端末》
アップロード端末３００は、データ保管サーバ２００にデータをアップロードする端末であり、保管用のデータ（プリントした画像の画像データ及びその画像データに関連付けられた音声データ）をプリンタ付きデジタルカメラ１０から受信し、データ保管サーバ２００に転送する。
【０１１１】
上記のように、アップロード端末３００は、通信機能を備えたコンピュータ、特に、スマートフォン、タブレット端末、ノート型パソコン、ＰＤＡ等のモバイルコンピュータで構成され、近距離無線通信（たとえば、ＮＦＣ規格、ＢｌｕｅＴｏｏｔｈ、ＷｉＦｉ等）でプリンタ付きデジタルカメラ１０と通信する。また、通信ネットワーク２を介してデータ保管サーバ２００と通信する。
【０１１２】
図１２は、アップロード端末のハードウェア構成の一例を示すブロック図である。なお、同図は、アップロード端末３００が、スマートフォンの場合のハードウェア構成の一例を示している。
【０１１３】
同図に示すように、アップロード端末３００は、全体の動作を制御するＣＰＵ３０１、基本入出力プログラム等を記憶したＲＯＭ３０２、ＣＰＵ３０１のワークエリアとして使用されるＲＡＭ３０３、ＣＰＵ３０１が実行するオペレーティングシステムを含む各種プログラム及び各種データを記憶したＥＥＰＲＯＭ（Electrically Erasable and Programmable ROM）３０４、ディスプレイ３０５、ディスプレイ画面へのタッチ操作を検出するタッチパネル３０６、ＧＰＳ（Global Positioning Systems）衛星又は屋内ＧＰＳとしてのＩＭＥＳ（Indoor MEssaging System）によってアップロード端末３００の位置情報（緯度、経度及び高度）を含んだＧＰＳ信号を受信するＧＰＳ受信部３０７、撮影レンズ及びイメージセンサを含み、画像を電子的に撮影するカメラ部３０８、マイクロフォンを含み、音声を入力するマイク部３０９、スピーカを含み、音声を出力するスピーカ部３１０、アンテナ３１１Ａを利用して最寄りの基地局２ａ等と無線で通信する通信部３１１、アンテナ３１２Ａを利用して外部機器と近距離無線で通信する近距離無線通信部３１２、地磁気センサ、ジャイロコンパス、加速度センサ等の各種センサを含むセンサ部３１３、メモリカード３１５へのデータの読み書きを行うメディアドライブ３１４等を備える。
【０１１４】
図１３は、アップロード端末が提供する主な機能のブロック図である。
【０１１５】
同図に示すように、アップロード端末３００は、ＣＰＵ３０１が所定のプログラムを実行することにより、アップロード用データ取得部３００Ａ及びデータ送信部３００Ｂとして機能する。
【０１１６】
アップロード用データ取得部３００Ａは、プリンタ付きデジタルカメラ１０と近距離無線で通信し、プリンタ付きデジタルカメラ１０からアップロード用のデータ（画像データ及びその画像データに関連付けられた音声データ）を受信する。
【０１１７】
データ送信部３００Ｂは、通信ネットワーク２を介してデータ保管サーバ２００と通信し、プリンタ付きデジタルカメラ１０から受信したデータをデータ保管サーバ２００に転送（アップロード）する。
【０１１８】
《データ再生端末》
データ再生端末４００は、データ保管サーバ２００に保管された画像データ及びその画像データに関連付けられた音声データをダウンロードして再生する端末である。ダウンロードするデータにアクセスするための情報は、ダウンロードする画像データがプリントされたインスタントフィルム４２から取得する。すなわち、インスタントフィルム４２には、そこ写されている画像をダウンロードするための二次元コードがプリントされており、二次元コードを読み取って、画像データ及びその画像データに関連付けられた音声データをダウンロードする。
【０１１９】
データ再生端末４００は、カメラ機能及び通信機能を備えたコンピュータ、特に、スマートフォン、タブレット端末、ノート型パソコン、ＰＤＡ等のカメラ付きのモバイルコンピュータで構成され、通信ネットワーク２を介してデータ保管サーバ２００と通信する。
【０１２０】
図１４は、データ再生端末のハードウェア構成の一例を示すブロック図である。なお、同図は、データ再生端末４００が、スマートフォンの場合のハードウェア構成の一例を示している。
【０１２１】
同図に示すように、データ再生端末４００は、全体の動作を制御するＣＰＵ４０１、基本入出力プログラム等を記憶したＲＯＭ４０２、ＣＰＵ４０１のワークエリアとして使用されるＲＡＭ４０３、ＣＰＵ４０１が実行するオペレーティングシステムを含む各種プログラム及び各種データを記憶したＥＥＰＲＯＭ４０４、ディスプレイ４０５、ディスプレイ画面へのタッチ操作を検出するタッチパネル４０６、ＧＰＳ受信部４０７、撮影レンズ及びイメージセンサを含み、画像を電子的に撮影するカメラ部４０８、マイクロフォンを含み、音声を入力するマイク部４０９、スピーカを含み、音声を出力するスピーカ部４１０、アンテナ４１１Ａを利用して最寄りの基地局２ａ等と無線で通信する通信部４１１、アンテナ４１２Ａを利用して外部機器と近距離無線で通信する近距離無線通信部４１２、地磁気センサ、ジャイロコンパス、加速度センサ等の各種センサを含むセンサ部４１３、メモリカード４１５へのデータの読み書きを行うメディアドライブ４１４等を備える。
【０１２２】
図１５は、データ再生端末が提供する主な機能のブロック図である。
【０１２３】
同図に示すように、データ再生端末４００は、ＣＰＵ４０１が所定のプログラムを実行することにより、二次元コード読取部４００Ａ、アクセス情報取得部４００Ｂ、ダウンロード部４００Ｃ及び再生処理部４００Ｄ等として機能する。
【０１２４】
二次元コード読取部４００Ａは、カメラ部４０８によって実現され、カメラ部４０８で二次元コードを撮影することにより、二次元コードを読み取る。二次元コード読取部４００Ａは、記録情報読取部の一例である。
【０１２５】
アクセス情報取得部４００Ｂは、インスタントフィルム４２にプリントされた二次元コードを二次元コード読取部４００Ａで読み取ることにより、そのインスタントフィルム４２にプリントされた画像の画像データ及び音声データへのアクセス情報を取得する。
【０１２６】
ダウンロード部４００Ｃは、アクセス情報取得部４００Ｂで取得したアクセス情報に基づいて、データ保管サーバ２００にアクセスし、該当する画像データ及び音声データをダウンロードする。
【０１２７】
再生処理部４００Ｄは、ダウンロードした画像データ及び音声データを再生する処理を行う。再生処理部４００Ｄは、ダウンロードした画像データを表示部であるディスプレイ４０５に表示させる表示制御部４００Ｄ１、及び、ダウンロードした音声データを音声出力部であるスピーカ部から出力させる音声出力制御部４００Ｄ２を備える。
【０１２８】
［システムの動作］
《プリンタ付きデジタルカメラの動作》
プリンタ付きデジタルカメラ１０は、その動作モードとして撮影モード及び再生モードを有する。撮影モードは、画像を撮影するモードである。再生モードは、撮影済みの画像を再生するモードである。
【０１２９】
撮影モードには、オートプリントモード及びマニュアルプリントモードが存在する。オートプリントモードは、撮影した画像を自動的にプリントするモードである。マニュアルプリントモードは、撮影した画像をユーザの指示に応じてプリントするモードである。各モードの切り替えは、モード切替えボタン２２ｄの押下により行われる。
【０１３０】
撮影モードの各モードには、それぞれ音声付きの画像を撮影するモード（録音モード）が存在する。また、録音モードには、通常録音モード及びアフレコモード（アフターレコーディングモード）が存在する。通常録音モードは、レリーズの前後一定時間の音声を録音するモードである。アフレコモードは、撮影後に音声を入力するモードである。録音モードは、録音ボタン１８の押下により、そのモードが切り替わる。具体的には、録音ボタン１８を押下するたびに、通常録音モード、アフレコモード、録音モードのオフが順番に切り替わる。
【０１３１】
図１６は、各モードへの設定の手順を示すフローチャートである。
【０１３２】
まず、撮影モードか否かが判断される（ステップＳ１）。撮影モードではない場合、再生モードと判定され、再生モードでの処理が行われる（ステップＳ２）。
【０１３３】
撮影モードの場合、マニュアルプリントモードか否かが判定される（ステップＳ３）。マニュアルプリントモードではない場合、オートプリントモードと判定され、オートプリントモードでの処理が行われる（ステップＳ４）。マニュアルプリントモードの場合、マニュアルプリントモードでの処理が行われる（ステップＳ５）。
【０１３４】
〈マニュアルプリントモードでの動作〉
上記のように、マニュアルプリントモードは、撮影後、ユーザからのプリントの指示に応じて、撮影した画像をプリントするモードである。
【０１３５】
図１７は、マニュアルプリントモードでの動作手順を示すフローチャートである。
【０１３６】
まず、録音モードがオンされているか否かが判定される（ステップＳ１１）。録音モードがオンされていない場合、録音なしで撮影が行われる。一方、録音モードがオンされている場合、通常録音モードに設定されているか否かが判定される（ステップＳ１２）。通常録音モードに設定されている場合は、通常録音モードで撮影が行われる。すなわち、撮影と同時に音声が録音される。一方、通常モードに設定されていない場合は、アフレコモードで撮影が行われる。すなわち、撮影後に音声が録音される。
【０１３７】
（１）録音モードがオフの場合
図１８は、マニュアルプリントモードにおいて、録音モードがオフの場合の動作手順を示すフローチャートである。
【０１３８】
まず、ディスプレイ２８にライブビューが表示される（ステップＳ２１）。すなわち、イメージセンサ６４で捉えた映像がリアルタイムにディスプレイ２８に表示される。ユーザは、このディスプレイ２８の表示を見ながら構図、被写体への合焦状態等を確認する。
【０１３９】
この後、撮影指示の有無が判定される（ステップＳ２２）。撮影指示は、レリーズボタン１６の押下により行われる。
【０１４０】
撮影が指示されると、撮影処理が行われる（ステップＳ２３）。すなわち、イメージセンサ６４を介して画像の取り込みが行われる。撮影により得られた画像データは、たとえば、ＪＰＥＧ（Joint Photographic Experts Group）、ＲＡＷ、ＴＩＦＦ（Tagged Image File Format）、ＧＩＦ（Graphics Interchange Format）、ビットマップ等の所定のファイルフォーマットに変換されて、メモリ７２に記録される（ステップＳ２４）。
【０１４１】
撮影されると、撮影により得られた画像データがディスプレイ２８にプレビューされる（ステップＳ２５）。ユーザは、ディスプレイ２８の表示を確認し、プリントの要否を判断する。プリントする場合は、プリントボタン３２ｂを押下し、プリントしない場合は、キャンセルボタン３２ｄ又はレリーズボタン１６を押下する。
【０１４２】
プレビュー中、ユーザの操作に基づいて、プリント指示の有無が判断される（ステップＳ２６）。プリントが指示された場合は、プリント処理が行われる（ステップＳ２７）。プリント処理については、後述する。この後、モードが終了されたか否かが判定される（ステップＳ２８）。すなわち、他のモードに切り替えられたか否かが判断される。モードが終了された場合は、処理を終了する。
【０１４３】
このように、マニュアルプリントモードでは、撮影後、ユーザからのプリントの指示に応じて、撮影されて画像がプリントされる。
【０１４４】
（２）通常録音モードがオンの場合
図１９は、マニュアルプリントモードにおいて、通常録音モードがオンされた場合の動作手順を示すフローチャートである。
【０１４５】
まず、ディスプレイ２８にライブビューが表示される。また、これと同時にマイクロフォン９２から音声の取り込みが開始される（ステップＳ３１）。取り込まれた音声は、一定時間バッファされ、その後、順次消去される。すなわち、録音に必要な分だけがバッファされる。たとえば、撮影の前後５秒の音声が録音される場合、少なくとも過去５秒分の音声がバッファされる。
【０１４６】
この後、撮影指示の有無が判定される（ステップＳ３２）。撮影が指示されると、撮影処理及び録音処理が行われる（ステップＳ３３）。すなわち、イメージセンサ６４を介して画像の取り込みが行われ、かつ、マイクロフォン９２を介して音声の取り込みが行われる。音声は撮影の前後一定時間の音声が取り込まれる。
【０１４７】
撮影により得られた画像データ及び音声データは、それぞれ所定のファイルフォーマットに変換され、互いに関連付けられて、メモリ７２に記録される（ステップＳ３４）。音声データファイルとしては、ＭＰ３（MPEG-1 Audio Layer 3（MPEG: Moving Picture Experts Group））、リアルオーディオ（Real audio（登録商標））、ＭＩＤＩ（登録商標）（Musical Instruments Digital Interface）ファイル、ＷＡＶＥファイル等の適切な音声ファイルを使用できる。
【０１４８】
撮影されると、撮影により得られた画像データがディスプレイ２８にプレビューされる（ステップＳ３５）。プレビュー中、ユーザの操作に基づいて、プリント指示の有無が判断される（ステップＳ３６）。プリントが指示された場合は、プリント処理が行われる（ステップＳ３７）。プリント処理については、後述する。この後、モードが終了されたか否かが判定される（ステップＳ３８）。モードが終了された場合は、処理を終了する。
【０１４９】
このように、通常録音モードでは、撮影と同時に、その前後一定時間の音声が録音され、画像と共にメモリ７２に記録される。また、撮影された画像データは、ユーザからのプリント指示に応じてプリントされる。
【０１５０】
（３）アフレコモードがオンの場合
図２０は、マニュアルプリントモードにおいて、アフレコモードがオンされた場合の動作手順を示すフローチャートである。
【０１５１】
まず、ディスプレイ２８にライブビューが表示される（ステップＳ４１）。この後、撮影指示の有無が判定される（ステップＳ４２）。撮影が指示されると、撮影処理が行われ（ステップＳ４３）、撮影により得られた画像データが、メモリ７２に記録される（ステップＳ４４）。また、撮影されると、撮影により得られた画像データがディスプレイ２８にプレビューされる（ステップＳ４５）。
【０１５２】
図２１は、アフレコモードでのプレビュー画面の一例を示す図である。
【０１５３】
同図に示すように、ディスプレイ２８の画面には、撮影により得られた画像ＰＶＩ、及び、録音の要否を確認するメッセージＭＥが表示される。録音（アフレコ）する場合は、録音ボタン１８（図２参照）を押下する。録音しない場合は、キャンセルボタン３２ｄを押下する。プレビュー中、ユーザの操作に基づいて、録音指示の有無が判定される（ステップＳ４６）。
【０１５４】
録音が指示された場合、録音処理が行われる（ステップＳ４７）。すなわち、マイクロフォン９２を介して一定時間（たとえば、１０秒）音声が取り込まれる。そして、取り込まれた音声の音声データが、撮影により得られた画像データに関連付けられてメモリ７２に記録される（ステップＳ４８）。
【０１５５】
この後、プリント指示の有無が判断される（ステップＳ４９）。なお、ステップＳ４６において、録音がキャンセルされた場合もプリント指示の有無が判定される。プリントが指示された場合は、プリント処理が行われる（ステップＳ５０）。プリント処理については、後述する。この後、モードが終了されたか否かが判定される（ステップＳ５１）。モードが終了された場合は、処理を終了する。
【０１５６】
このように、アフレコモードでは、撮影後、ユーザからの指示に応じて一定時間の音声が録音される。録音された音声データは、画像データに関連付けられてメモリ７２に記録される。また、撮影された画像データは、ユーザからのプリント指示に応じてプリントされる。
【０１５７】
〈オートプリントモードでの動作〉
上記のように、オートプリントモードは、撮影後に撮影した画像を自動的にプリントするモードである。
【０１５８】
図２２は、オートプリントモードでの動作手順を示すフローチャートである。
【０１５９】
まず、録音モードがオンされているか否かが判定される（ステップＳ６１）。録音モードがオンされていない場合、録音なしで撮影が行われる。一方、録音モードがオンされている場合、通常録音モードに設定されているか否かが判定される（ステップＳ６２）。通常録音モードに設定されている場合は、通常録音モードで撮影が行われる。すなわち、撮影と同時に音声が録音される。一方、通常モードに設定されていない場合は、アフレコモードで撮影が行われる。すなわち、撮影後に音声が録音される。
【０１６０】
（１）録音モードがオフの場合
図２３は、オートプリントモードにおいて、録音モードがオフの場合の動作手順を示すフローチャートである。
【０１６１】
まず、ディスプレイ２８にライブビューが表示される（ステップＳ７１）。この後、撮影指示の有無が判定される（ステップＳ７２）。撮影が指示されると、撮影処理が行われ（ステップＳ７３）、撮影により得られた画像データがメモリ７２に記録される（ステップＳ７４）。また、撮影されて画像がプリントされる（ステップＳ７５）。プリント処理については、後述する。この後、モードが終了されたか否かが判定される（ステップＳ７６）。モードが終了された場合は、処理を終了する。
【０１６２】
このように、オートプリントモードでは、撮影後、撮影された画像が自動的にプリントされる。
【０１６３】
（２）通常録音モードがオンの場合
図２４は、オートプリントモードにおいて、通常録音モードがオンされた場合の動作手順を示すフローチャートである。
【０１６４】
まず、ディスプレイ２８にライブビューが表示される。また、これと同時にマイクロフォン９２から音声の取り込みが開始される（ステップＳ８１）。取り込まれた音声は、一定時間バッファされ、その後、順次消去される。この後、撮影指示の有無が判定される（ステップＳ８２）。撮影が指示されると、撮影処理及び録音処理が行われ（ステップＳ８３）、撮影により得られた画像データ及び音声データがメモリ７２に記録される（ステップＳ８４）。また、撮影された画像がプリントされる（ステップＳ８５）。プリント処理については、後述する。この後、モードが終了されたか否かが判定される（ステップＳ８６）。モードが終了された場合は、処理を終了する。
【０１６５】
このように、通常録音モードでは、撮影と同時に、その前後一定時間の音声が録音され、画像と共にメモリ７２に記録される。また、撮影された画像が自動的にプリントされる。
【０１６６】
（３）アフレコモードがオンの場合
図２５は、オートプリントモードにおいて、アフレコモードがオンされた場合の動作手順を示すフローチャートである。
【０１６７】
まず、ディスプレイ２８にライブビューが表示される（ステップＳ９１）。この後、撮影指示の有無が判定される（ステップＳ９２）。撮影が指示されると、撮影処理が行われ（ステップＳ９３）、撮影により得られた画像データが、メモリ７２に記録される（ステップＳ９４）。また、撮影されると、撮影により得られた画像データがディスプレイ２８にプレビューされる（ステップＳ９５）。図２１に示すように、ディスプレイ２８の画面には、撮影により得られた画像ＰＶＩ、及び、録音の要否を確認するメッセージＭＥが表示される。録音（アフレコ）する場合は、録音ボタン１８を押下する。録音しない場合は、キャンセルボタン３２ｄを押下する。プレビュー中、ユーザの操作に基づいて、録音指示の有無が判定される（ステップＳ９６）。
【０１６８】
録音が指示された場合、録音処理が行われる（ステップＳ９７）。すなわち、マイクロフォン９２を介して一定時間（たとえば、１０秒）音声が取り込まれる。そして、取り込まれた音声の音声データが、撮影により得られた画像データに関連付けられてメモリ７２に記録される（ステップＳ９８）。
【０１６９】
この後、撮影された画像がプリントされる（ステップＳ９９）。プリント処理については、後述する。なお、ステップＳ９６において、録音がキャンセルされた場合もプリント処理が行われる（ステップＳ９９）。
【０１７０】
この後、モードが終了されたか否かが判定される（ステップＳ１００）。モードが終了された場合は、処理を終了する。
【０１７１】
このように、アフレコモードでは、撮影後、ユーザからの指示に応じて一定時間の音声が録音される。録音された音声データは、画像データに関連付けられてメモリ７２に記録される。また、撮影された画像データが、自動的にプリントされる。
【０１７２】
〈再生モードでの動作〉
撮影モードから再生モードへの切り替えは、再生ボタン３２ｃの押下により行われる。なお、再生モードから撮影モードへの切り替えは、レリーズボタン１６の押下により行われる。
【０１７３】
図２６は、再生モードでの動作手順を示すフローチャートである。
【０１７４】
再生モードに設定されると、最後に撮影された画像の画像データがメモリ７２から読み出され、ディスプレイ２８に再生表示される（ステップＳ１１０）。
【０１７５】
次に、再生中の画像データが音声付きの画像データか否かが判定される（ステップＳ１１１）。音声付きの画像データの場合は、音声再生の指示の有無が判定される（ステップＳ１１２）。音声再生の指示は、再生ボタン３２ｃの押下により行われる。
【０１７６】
図２７は、音声付きの画像データを表示する場合のディスプレイの表示の一例を示す図である。
【０１７７】
同図に示すように、音声付きの画像データの場合、表示中の画像ＩＭが音声付きであることを示すアイコンＩＣが表示される。これにより、ユーザは、表示中の画像ＩＭが音声付きであることを認識できる。
【０１７８】
音声付きの画像データがディスプレイ２８に表示中に再生ボタン３２ｃが押下されると、音声の再生処理が行われる（ステップＳ１１３）。すなわち、再生中の画像データに関連付けられた音声データがメモリ７２から読み出され、スピーカ９４から出力される。これにより、ユーザは、画像に関連付けられた音声を聞くことができる。
【０１７９】
また、再生中、プリントの指示の有無が判定される（ステップＳ１１４）。プリントの指示は、プリントボタン３２ｂの押下により行われる。プリントボタン３２ｂが押下されると、再生中の画像がプリントされる（ステップＳ１１５）。プリント処理については、後述する。
【０１８０】
また、再生中、コマ送りの指示の有無が判定される（ステップＳ１１６）。コマ送りの操作は、ジョイスティック３２ａにより行われ、ジョイスティック３２ａが横方向に操作されると、コマ送りされる。すなわち、次のコマがメモリ７２から読み出されて、ディスプレイ２８に再生表示される（ステップＳ１１７）。なお、ジョイスティック３２ａが上下方向に操作された場合には、表示中の画像がズームイン、ズームアウトされる。
【０１８１】
この後、モードが終了されたか否かが判定される（ステップＳ１１８）。モードが終了された場合は、処理を終了する。
【０１８２】
このように、再生モードでは、ユーザからのプリント指示に応じて、再生中の画像をプリントできる。また、再生中の画像が音声付きの場合は、ユーザからの指示に応じて、画像に関連付けられた音声を再生できる。
【０１８３】
〈プリントの際の動作〉
図２８は、画像をプリントする際の処理手順を示すフローチャートである。
【０１８４】
まず、処理対象の画像データが、音声付きの画像データか否かが判定される（ステップＳ１２０）。すなわち、音声データが関連付けて記録されているか否かが判定される。
【０１８５】
音声付きの画像データではない場合、通常の手順でプリント処理が行われる。まず、プリント用の画像データが生成される（ステップＳ１２１）。すなわち、プリントヘッド５６を用いて、インスタントフィルム４２にプリントするための画像データが生成される。
【０１８６】
なお、本実施の形態のプリンタ付きデジタルカメラ１０は、モノシートタイプのインスタントフィルム４２を使用することから、プリント用の画像は、表示用の画像に対して、左右を反転した画像が生成される。また、インスタントフィルム４２は、上下（天地）を逆にして装填されることから、上下を逆転させた画像が生成される。
【０１８７】
プリント用の画像データの生成後、プリントが行われる（ステップＳ１２２）。まず、インスタントフィルムパック４０からインスタントフィルム４２が一枚送り出される。送り出されたインスタントフィルム４２は、フィルム排出口３４に向かって一定の速度で搬送される。その搬送過程でプリントヘッド５６から光が照射されて、露光面に画像が記録される。露光されたインスタントフィルム４２は、展開ローラ対５４Ｂを通過することで現像処理され、フィルム排出口３４から排出される。
【０１８８】
一方、プリント対象の画像データが、音声付きの画像データの場合、まず、当該画像データ及び音声データをデータ保管サーバ２００にアップロードするか否かが判定される（ステップＳ１２３）。
【０１８９】
プリント対象の画像データが、音声付きの画像データの場合、ディスプレイ２８にデータ保管サーバ２００へのアップロードの要否を問うメッセージが表示される。ユーザは、画面に表示されたメッセージに従ってアップロードの要否を判断する。アップロードする場合はＯＫボタン２２ｃを押下し、アップロードしない場合はキャンセルボタン３２ｄを押下する。カメラ制御部１００は、ＯＫボタン２２ｃ及びキャンセルボタン３２ｄの操作に基づいて、アップロードの要否を判断する。
【０１９０】
アップロード不要の場合、音声なしの画像データをプリントする場合と同様に、通常の手順でプリント処理が行われる（ステップＳ１２１−Ｓ１２２）。
【０１９１】
一方、プリントする画像データ及びその画像データに関連付けられた音声データをアップロードする場合、アップロード処理が行われる（ステップＳ１２４）。
【０１９２】
なお、後述するように、データをアップロードすると、アップロードしたデータへのアクセス情報をコード化した二次元コード（記録情報）が画像と共にインスタントフィルム４２にプリントされる。したがって、アップロードの指示までの一連の操作系は、記録情報のプリントの有無を設定する記録情報プリント設定部を一例を構成する。
【０１９３】
図２９は、アップロード処理の手順を示すフローチャートである。
【０１９４】
まず、固有の識別情報が生成される（ステップＳ１３０）。この識別情報は、データの保管先で他のデータと区別するために生成される。本実施の形態のシステムでは、プリンタ付きデジタルカメラ１０の機種の情報と、プリンタ付きデジタルカメラ１０のシリアル番号の情報と、累積プリント回数の情報と、を結合したものを固有の識別情報として生成する。
【０１９５】
ここで、「機種の情報」とは、プリンタ付きデジタルカメラ１０の機種を特定する情報であり、たとえば、製品名、製品コードなどがこれに該当する。
【０１９６】
また、「シリアル番号」とは、製品などに対して付与される識別番号であり、特に、番号を構成する数字、英数字が一定の規則、体系に基づいて付与されている番号のことである。製造番号とも称される。シリアル番号は、プリンタ付きデジタルカメラに割り当てられた固有の識別番号の一例である。
【０１９７】
また、「累積プリント回数」とは、プリンタ付きデジタルカメラ１０が出荷されてから現在までプリントされた総プリント回数である。したがって、出荷されてから未だにプリントされていない場合は「０」であり、１０回プリントした場合は「１０」となる。カメラ制御部１００は、累積プリント回数をカウントし、メモリ７２に記録する。累積プリント回数の情報は、規定の桁数（たとえば５桁）で表示される。
【０１９８】
本実施の形態のシステムでは、「機種」、「シリアル番号」、「累積プリント回数」の順で各情報を並べて識別情報が生成される。たとえば、機種名が「ｉｎｓｔａｘ＿ｍｉｎｉ＿ｘｘ」、シリアル番号が「７Ｔ００ＸＸＸ」、累積プリント回数が「０００９８」の場合、識別情報は、「ｉｎｓｔａｘ＿ｍｉｎｉ＿ｘｘ７Ｔ００ＸＸＸ０００９８」となる。
【０１９９】
識別情報の生成後、アップロード用のデータが生成される（ステップＳ１３１）。すなわち、データ保管サーバ２００にアップロードするためのデータが生成される。このデータは、識別情報を含むデータとして生成される。たとえば、ヘッダに識別情報を含めたデータが生成される。あるいは、ファイル名を識別情報としたデータが生成される。アップロード用のデータは、画像データ及び音声データを別々に生成してもよいし、一つのファイルにまとめて生成してもよい。
【０２００】
次に、アップロード端末３００との間で通信が行われる（ステップＳ１３２）。そして、通信が確立したか否かが判定される（ステップＳ１３３）。
【０２０１】
通信が確立すると、アップロード端末３００に向けてアップロード用のデータが送信される（ステップＳ１３４）。アップロード端末３００は、このデータを受信して、データ保管サーバ２００にアップロードする。
【０２０２】
この後、カメラ制御部１００は、アップロード端末３００によるアップロード用のデータの送信結果に基づいて、アップロードの成否を判定する（ステップＳ１３５）。アップロードが成功すると、アップロード処理を終了する。
【０２０３】
図３０は、アップロード処理のシーケンス図である。
【０２０４】
まず、アップロード端末３００がデータ保管サーバ２００に対して接続要求を行う。これに対してデータ保管サーバ２００が応答し、アップロード端末３００とデータ保管サーバ２００との間の通信が確立される。
【０２０５】
次いで、プリンタ付きデジタルカメラがアップロード端末３００に対して接続要求を行う。これに対してアップロード端末３００が応答し、プリンタ付きデジタルカメラ１０とアップロード端末３００との間の通信が確立される。
【０２０６】
次いで、プリンタ付きデジタルカメラ１０からアップロード端末３００に対してアップロード用のデータが送信される。アップロード端末３００は、アップロード用のデータを受信すると、受信完了をプリンタ付きデジタルカメラ１０に通知する。受信したアップロード用のデータは、一時的にメモリに保管される。
【０２０７】
次いで、アップロード端末３００は、受信したアップロード用のデータをデータ保管サーバ２００に送信する。データ保管サーバ２００は、受信したデータを保管する。より具体的には、受信した画像データ及びその画像データに関連付けられた音声データを相互に関連付けてデータベースに記憶する。この際、データに付加された識別情報を利用して、画像データ及び音声データをデータベースに記録する。これにより、画像データ及び音声データを特定できる。
【０２０８】
画像データの保管が完了すると、データ保管サーバ２００は、アップロード端末３００に対して受信完了通知を送信する。アップロード端末３００は、この受信完了通知を受けると、プリンタ付きデジタルカメラ１０に対して、アップロードの完了を通知する。
【０２０９】
以上一連の処理でプリンタ付きデジタルカメラ１０からデータ保管サーバ２００に画像データ及び音声データがアップロードされる。
【０２１０】
図３１は、通信不能又はアップロード処理に失敗した場合の処理の手順を示すフローチャートである。
【０２１１】
アップロード端末３００と通信できない場合（図２９のステップＳ１３３においてＮＯの場合）、プリンタ付きデジタルカメラ１０のカメラ制御部１００は、ディスプレイ２８に所定のエラーメッセージ（たとえば、「通信エラー」）を表示する（ステップＳ１４０）。また、これと同時にアップロードを継続するか否かを問い合わせるメッセージ（たとえば、「アップロードを継続しますか？」）を表示する。
【０２１２】
カメラ制御部１００は、ユーザからの操作入力に基づいて、アップロード処理のキャンセルの有無を判定する（ステップＳ１４１）。キャンセルする場合は、キャンセルボタン３２ｄを押下し、キャンセルしない場合はＯＫボタン２２ｃを押下する。キャンセルしない場合は、ステップＳ１３２に戻り、再度、アップロード端末３００の通信を試みる（図２９のＳ１３２）。
【０２１３】
一方、アップロード処理をキャンセルする場合、カメラ制御部１００は、ディスプレイ２８にアップロード中止のエラーメッセージ（たとえば、「アップロードを中止します」）を表示する（ステップＳ１４２）。また、これと同時にプリントをキャンセルするか否かを問い合わせるメッセージ（たとえば、「プリントしますか？」）を表示する。
【０２１４】
カメラ制御部１００は、ユーザからの操作入力に基づいて、プリントのキャンセルの有無を判定する（ステップＳ１４３）。キャンセルする場合は、キャンセルボタン３２ｄを押下し、キャンセルしない場合はＯＫボタン２２ｃを押下する。キャンセルしない場合は、プリント処理が行われる。この場合、音声なしの画像データと同様に通常の手順でプリント処理が行われる。すなわち、図２８に示すように、まず、プリント用の画像データが生成され（ステップＳ１２１）、生成された画像データに基づいて、プリントが行われる（ステップＳ１２２）。
【０２１５】
一方、プリントしない場合は、プリント中止のメッセージをディスプレイ２８に表示して（ステップＳ１４４）、プリント処理を終了する。
【０２１６】
アップロード端末３００がアップロードに失敗した場合なども同様であり、アップロード処理及びプリント処理をキャンセルするか否かを問い合わせ、ユーザからの指示に応じた処理が行われる。
【０２１７】
このように、通信不能又はアップロード処理に失敗した場合は、アップロード処理及びプリント処理をキャンセルするか否かを問い合わせ、ユーザからの指示に応じた処理が行われる。
【０２１８】
音声付きの画像データをプリントする場合において、アップロード処理が完了すると、図２９に示すように、二次元コードが生成される（ステップＳ１２５）。この二次元コードは、アップロードした画像データ及び音声データにアクセスするためのアクセス情報をコード化したものである。より具体的には、ネットワーク上のデータ保管サーバ２００に保管された画像データ及び音声データにアクセスするための情報をコード化したものであり、当該データのＵＲＬ（Universal Resource Locater）をコード化したものである。アップロードした画像データ及び音声データは、固有の識別情報が付与され、かつ、その固有の識別情報を利用して、規定のデータ保管サーバ２００に保管される。したがって、その保管場所は、個々のプリンタ付きデジタルカメラ１０で特定できる。プリンタ付きデジタルカメラ１０のカメラ制御部１００は、アップロードした画像データ及び音声データに付与した識別情報及び保管先の情報（データ保管サーバ２００の情報）に基づいて、アクセス情報であるＵＲＬを生成し、二次元コードでコード化する。本実施の形態では、二次元コードとして、ＱＲコード（登録商標）が生成される。
【０２１９】
二次元コードが生成されると、プリント用の画像データが生成される（ステップＳ１２６）。このプリント用の画像データには、二次元コードが含まれる。
【０２２０】
図３２は、音声付きの画像データをプリントする場合におけるプリント用の画像データの生成の概念図である。
【０２２１】
同図に示すように、プリント用の画像データＰＲＩ１は、プリントする画像ＰＲＩ０に二次元コードＱＲを合成して生成される。二次元コードＱＲは、プリントする画像ＰＲＩ０の一部に重ねて合成される。すなわち、オーバーレイされる。したがって、プリントする画像ＰＲＩ０は、二次元コードＱＲがオーバーレイされた部分が視認できなくなる。二次元コードＱＲは、あらかじめ定められた位置に合成される。本実施の形態では、プリントする画像ＰＲＩ０の右下隅に合成される。
【０２２２】
なお、本実施の形態のプリンタ付きデジタルカメラ１０は、モノシートタイプのインスタントフィルム４２を使用することから、更に、画像の左右を反転させる処理が行われる。また、本実施の形態のプリンタ付きデジタルカメラ１０は、上下を逆にしてインスタントフィルム４２を装填することから、画像の上下を逆転させる処理が行われる。
【０２２３】
プリント用の画像データの生成後、プリントが行われる（ステップＳ１２７）。すなわち、インスタントフィルムパック４０からインスタントフィルム４２が送り出され、その搬送過程でプリントヘッド５６から光が照射されて、インスタントフィルム４２の露光面に画像が記録される。露光されたインスタントフィルム４２は、展開ローラ対５４Ｂを通過することで現像処理され、その後、フィルム排出口３４から排出される。
【０２２４】
図３３は、音声付きの画像データのプリント結果の一例を示す図である。
【０２２５】
同図に示すように、プリント物であるインスタントフィルム４２には、画像と共に二次元コードＱＲがプリントされる。なお、上記のように、画像は露光面とは反対側の観察面４２ｂに表示され、枠４２ｉの内側の観察領域４２ｈに表示される。観察領域４２ｈは、露光領域よりも若干狭いため、実質的にトリミングされた画像が表示される。
【０２２６】
インスタントフィルム４２にプリントされた二次元コードＱＲをデータ再生端末４００で読み取ることにより、インスタントフィルム４２にプリントされた画像及びその画像に関連付けられた音声をデータ再生端末４００で視聴できる。
【０２２７】
《データ再生端末の動作》
上記のように、インスタントフィルム４２にプリントされた画像及びその画像に関連付けられた音声は、画像と共にインスタントフィルム４２にプリントされた二次元コードＱＲをデータ再生端末４００で読み取ることにより、データ再生端末４００で再生できる。データ再生端末４００は、二次元コードＱＲから画像データ及び音声データへのアクセス情報を取得し、取得したアクセス情報に基づいて、データの保管先にアクセスし、該当するデータをダウンロードして再生する。
【０２２８】
図３４は、画像データ及び音声データをダウンロードして再生する処理の手順を示すフローチャートである。
【０２２９】
二次元コード付きのインスタントフィルム４２を取得したユーザは、データ再生端末４００でインスタントフィルム４２にプリントされた二次元コードＱＲを読み取る（ステップＳ１５０）。
【０２３０】
データ再生端末４００は、読み取った二次元コードＱＲからアクセス情報を取得する（ステップＳ１５１）。すなわち、インスタントフィルム４２にプリントされた画像の画像データ及びその画像データに関連付けられた音声データにアクセスするための情報（ＵＲＬ）を取得する。そして、取得したアクセス情報に基づいて、データの保管先にアクセスし、データをダウンロードする（ステップＳ１５２）。
【０２３１】
図３５は、ダウンロード処理のシーケンス図である。
【０２３２】
データ再生端末４００がデータ保管サーバ２００に対して接続要求を行う。これに対してデータ保管サーバ２００が応答し、データ再生端末４００とデータ保管サーバ２００との間の通信が確立される。
【０２３３】
次いで、データ再生端末４００が、データ保管サーバ２００に対して、該当するデータの送信を要求する。すなわち、インスタントフィルム４２にプリントされた画像の画像データ及びその画像データに関連付けられた音声データの送信を要求する。データ保管サーバ２００は、この要求に対して、該当するデータをデータベースから検索し、読み出す。そして、読み出したデータをデータ再生端末４００に送信する。データ再生端末４００は、データ保管サーバ２００から送信されたデータを受信する。以上により、ダウンロードの処理が完了する。
【０２３４】
データ再生端末４００は、データ保管サーバ２００からダウンロードした画像データ及び音声データを再生処理する（ステップＳ１５３）。具体的には、ダウンロードした画像データをディスプレイ４０５に表示させる。また、ダウンロードした音声データをスピーカ部４１０から出力させる。
【０２３５】
図３６は、インスタントフィルムにプリントされる画像とデータ再生端末で再生される画像との比較した図である。
【０２３６】
同図に示すように、インスタントフィルム４２にプリントされる画像には、二次元コードＱＲが重ねて表示される。一方、データ再生端末４００のディスプレイ４０５には、二次元コードのない画像が表示される。これにより、完全な画像を閲覧できる。また、上記のように、インスタントフィルム４２には、周縁部分がトリミングされた画像がプリントされるが、ディスプレイ４０５には、トリミングされていない元の画像が表示される。これにより、インスタントフィルム４２では、プリントしきれなかった部分も観賞できる。
【０２３７】
また、通常、スマートフォンなどには、画像を拡大する機能が備えられているので、当該機能を使用することにより、画像の細部まで確認できる。これにより、画像閲覧の利便性を向上できる。
【０２３８】
なお、表示中の画像を拡大する場合は、ディスプレイ４０５の画面をピンチアウト操作する。ピンチアウト操作とは、２本の指で画面に触れたまま、指の間隔を広げる操作である。また、表示中の画像を縮小する場合は、ディスプレイ４０５画面をピンチイン操作する。ピンチイン操作とは、２本の指で画面に触れたまま、指の間隔を狭める操作である。データ再生端末４００は、ユーザによる画面操作に基づいて、再生中の画像を拡大又は縮小させて表示する。
【０２３９】
データ再生端末４００のディスプレイ４０５には、画像とともに音声再生ボタンＶＰＢが表示される。ユーザは、この音声再生ボタンＶＰＢをタッチすることにより、音声を繰り返し再生できる。データ再生端末４００は、ユーザによる画面操作に基づいて、音声データの再生処理を実施する。
【０２４０】
このように、データ再生端末４００は、インスタントフィルム４２にプリントされた二次元コードＱＲを読み取ることにより、そのインスタントフィルム４２にプリントされた画像及びその画像に関連付けられた音声を再生できる。
【０２４１】
［変形例］
《プリンタ付きデジタルカメラの変形例》
〈プリントの方式〉
上記実施の形態では、インスタントフィルムにプリントする場合を例に説明したが、プリンタ付きデジタルカメラ１０で行うプリントの方式については、特に限定されない。たとえば、感熱紙又はインクリボンを使用して、感熱方式でプリントする構成としてもよい。この他、インクジェット方式等でプリントする構成とすることもできる。
【０２４２】
〈音声の記録〉
上記実施の形態では、撮影の際に音声データを取得し、撮影により得られた画像データに関連付けて記録することにより、音声付きの画像データを生成しているが、音声付きの画像データを生成する手法は、これに限定されるものではない。たとえば、撮影後の任意のタイミングで音声を入力し、任意の画像データに関連付けて記録することにより、音声付きの画像データを生成することもできる。
【０２４３】
図３７は、プリンタ付きデジタルカメラにおいて、撮影後に音声付きの画像データを生成する場合の処理の手順を示すフローチャートである。
【０２４４】
本処理は、再生モードで行われる。すなわち、再生モードで撮影済みの画像を再生し、任意の画像を選択して、音声を入力する。音声の入力は、録音指示に応じて行われる。録音の指示は、録音ボタン１８を押下することにより行われる。録音ボタン１８は、アフレコ指示部の一例である。
【０２４５】
まず、撮影済みの画像が再生される（ステップＳ１６０）。すなわち、メモリ７２に記録されている画像（たとえば、最後に撮影された画像）が１枚読み出されて、ディスプレイ２８に表示される。カメラ制御部１００は、画像の再生中、録音ボタン１８の操作情報に基づいて、録音の指示の有無を判定する（ステップＳ１６１）。
【０２４６】
再生中の画像に対して録音が指示されると、カメラ制御部１００は、録音処理を実行する（ステップＳ１６２）。
【０２４７】
図３８は、録音処理の手順を示すフローチャートである。
【０２４８】
カメラ制御部１００は、ユーザからの操作入力に基づいて、録音開始の指示の有無を判定する（ステップＳ１７０）。録音開始の指示は、たとえば、録音ボタン１８を押下することにより行われる。なお、キャンセルボタン３２ｄが押下された場合には、録音処理がキャンセルされる。カメラ制御部１００は、録音開始の指示がないと判定すると、キャンセルの指示の有無を判定する（ステップＳ１７１）。キャンセルが指示された場合は、録音処理を終了する。
【０２４９】
録音ボタン１８が押下され、録音が指示されると、マイクロフォン９２を介して、一定時間音声を集音する（ステップＳ１７２）。たとえば、１０秒間音声を集音する。集音した音声から音声データを生成し（ステップＳ１７３）、生成した音声データを再生中の画像の画像データに関連付けてメモリ７２に記録する（ステップＳ１７４）。
【０２５０】
以上の工程で録音処理が終了する。この後、図３７に示すように、コマ送りの指示の有無が判定される（ステップＳ１６３）。コマ送りが指示されると、次のコマがメモリ７２から読み出され、ディスプレイ２８に再生表示される（ステップＳ１６４）。また、再生モードが終了されたか否かが判定され（ステップＳ１６５）、終了された場合は、処理を終了する。
【０２５１】
このように、音声データは、後から自由に付加できるようにすることが好ましい。これにより、利便性を向上できる。
【０２５２】
なお、通常録音モードにおいて、撮影の前後一定時間の音声を録音する構成としているが、撮影に連動して自動的に音声を録音する場合、録音のタイミングは、上記実施の形態の例に限定されない。撮影後の一定時間の音声を録音してもよいし、撮影前の一定時間の音声を録音してもよい。また、撮影を挟んで前後一定時間の音声を録音する場合、撮影前の録音時間と撮影後の録音時間を異ならせてもよい。録音のタイミングをユーザが任意に設定できるようにしてもよい。同様に、録音時間をユーザが任意に設定できるようにしてもよい。設定は、たとえば、メニュー画面から録音の設定項目を呼び出して行う構成とすることができる。
【０２５３】
〈音声データの書き換え〉
画像データに関連付けられた音声データは、書き換えられるようにすることが好ましい。
【０２５４】
図３９は、プリンタ付きデジタルカメラにおいて、音声データを書き換える場合の処理の手順を示すフローチャートである。
【０２５５】
本処理は、再生モードで行われる。まず、撮影済みの画像が再生される（ステップＳ１８０）。すなわち、メモリ７２に記録されている画像（たとえば、最後に撮影された画像）が１枚読み出されて、ディスプレイ２８に表示される。カメラ制御部１００は、画像の再生中、録音ボタン１８の操作情報に基づいて、録音の指示の有無を判定する（ステップＳ１８１）。再生中の画像に対して録音が指示されると、カメラ制御部１００は、その画像が録音済みか否かを判定する（ステップＳ１８２）。すなわち、録音が指示された画像データが、音声付きの画像データか否かを判定する。
【０２５６】
録音が指示された画像データが、音声付きの画像データではない場合、図３８に示した手順で録音処理が実施される（ステップＳ１８９）。
【０２５７】
一方、録音が指示された画像データが、音声付きの画像データの場合、録音済みであることを示すメッセージ（たとえば、「音声が記録されています」）、及び、書き換えを問い合わせるメッセージ（たとえば、「音声を書き換えますか？」）をディスプレイ２８に表示する（ステップＳ１８３）。
【０２５８】
ユーザは、このディスプレイ２８の表示に基づいて、音声の書き換え又は録音のキャンセルを指示する。書き換えの指示は、ＯＫボタン２２ｃを押下することにより行われる。録音のキャンセルは、キャンセルボタン３２ｄを押下することにより行われる。書き換えの指示までの一連の操作系は、音声データ書き換え指示部の一例である。
【０２５９】
カメラ制御部１００は、ユーザからの操作入力に基づいて、音声データの書き換えの指示の有無を判定する（ステップＳ１８４）。書き換えが指示されると、カメラ制御部１００は、録音処理を行う（ステップＳ１８５）。
【０２６０】
図４０は、音声データを書き換える場合の録音処理の手順を示すフローチャートである。
【０２６１】
カメラ制御部１００は、ユーザからの操作入力に基づいて、録音開始の指示の有無を判定する（ステップＳ１９０）。録音開始の指示は、たとえば、録音ボタン１８を押下することにより行われる。なお、キャンセルボタン３２ｄが押下された場合には、録音処理がキャンセルされる。カメラ制御部１００は、録音開始の指示がないと判定すると、キャンセルの指示の有無を判定する（ステップＳ１９１）。キャンセルが指示された場合は、録音処理を終了する。
【０２６２】
録音ボタン１８が押下され、録音が指示されると、マイクロフォン９２を介して、一定時間音声を集音する（ステップＳ１９２）。たとえば、１０秒間音声を集音する。集音した音声から音声データを生成し（ステップＳ１９３）、生成した音声データを上書きして記録する（ステップＳ１９４）。すなわち、再生中の画像データに関連付けて記録されている音声データを新たに生成した音声データで置き換える。
【０２６３】
以上の工程で音声データの書き換えの処理が終了する。この後、図３９に示すように、コマ送りの指示の有無が判定される（ステップＳ１８６）。コマ送りが指示されると、次のコマがメモリ７２から読み出され、ディスプレイ２８に再生表示される（ステップＳ１８７）。また、再生モードが終了されたか否かが判定され（ステップＳ１８８）、終了された場合は、処理を終了する。
【０２６４】
このように、画像データに関連付けられた音声データは、プリンタ付きデジタルカメラにおいて、任意に書き換えられるようにすることが好ましい。これにより、利便性を向上できる。
【０２６５】
〈画像データ及び音声データの記録形式〉
互いに関連付けられた画像データ及び音声データは、互いに一方のデータから他方のデータを特定できればよい。画像データ及び音声データを関連付ける方法は、特に限定されるものではない。たとえば、管理用のファイルを用意して、当該ファイルで画像データ及び音声データの関連付けを管理してもよい。また、ヘッダ部分に関連付けられたデータの情報を記録して、関連付けられたデータが特定できるようにしてもよい。
【０２６６】
更に、データをアップロードした場合には、アップロードしたデータに識別情報、二次元コード等の情報を付加して記録してもよい。
【０２６７】
図４１は、データをアップロードした場合の画像データのファイル構造の一例を示す図である。
【０２６８】
同図に示すように、データをアップロードした場合、その画像データのファイルには、アップロードの際に生成した二次元コードの情報を含める。また、ヘッダには、二次元コードを記録する位置の情報等を記録する。これにより、二次元コードを付加した画像を再プリントする際、容易にプリントできる。
【０２６９】
なお、画像データのファイルには、音声データを含めてもよい。これにより、画像データ及び音声データを１つのファイルで管理できる。
【０２７０】
また、上記のファイル構造は、メモリ７２に記録されるデータのファイル構造であるが、アップロードするデータのファイル構造として採用することもできる。すなわち、画像データに二次元コードの情報、二次元コードをプリントする位置の情報、識別情報等を含めて、１つのファイルを生成し、当該ファイルをアップロードする構成とすることもできる。また、当該ファイルに音声データを含めて、アップロードする構成とすることもできる。
【０２７１】
〈識別情報〉
上記実施の形態では、プリンタ付きデジタルカメラの機種の情報と、プリンタ付きデジタルカメラのシリアル番号の情報と、累積プリント回数の情報と、を結合したものを識別情報として生成しているが、識別情報として生成する情報は、これに限定されるものではない。サーバにアップロードしたデータを一意に識別できる情報であればよい。
【０２７２】
なお、少なくともプリンタ付きデジタルカメラの機種の情報、プリンタ付きデジタルカメラのシリアル番号の情報及び累積プリント回数の情報を識別情報に含めることにより、種類の異なる複数のプリンタ付きデジタルカメラで撮影された画像データ及び音声データを保管するシステムにおいて、アップロードされた個々のデータを一意に特定できる。
【０２７３】
また、少なくともプリンタ付きデジタルカメラのシリアル番号の情報及び累積プリント回数の情報を識別情報に含めることにより、同じ種類の複数のプリンタ付きデジタルカメラで撮影された画像データ及び音声データを保管するシステムにおいて、アップロードされたデータを一意に特定できる。
【０２７４】
また、少なくとも累積プリント回数の情報を識別情報に含めることにより、同じプリンタ付きデジタルカメラで撮影された画像データ及び音声データを保管するシステムにおいて、アップロードされたデータを一意に特定できる。
【０２７５】
〈記録情報〉
上記実施の形態では、記録情報として二次元コードを使用しているが、記録情報には、この他、バーコード、無線タグ等、公知の読み取り手段を使用して読み取れる形態のものを使用できる。
【０２７６】
また、上記実施の形態では、記録情報にアクセス情報だけを記録する構成としているが、記録情報には、その他の情報を含めてもよい。たとえば、プリンタ付きデジタルカメラに音声をテキスト化する機能が備えられている場合、撮影の際に録音した音声をテキスト化し、そのテキスト化したデータを含めて記録情報を生成してもよい。
【０２７７】
〈アップロード〉
画像データをアップロードする場合、二次元コード（記録情報）が表示された状態の画像データをアップロードしてもよい。すなわち、プリントと同じ画像の画像データをアップロードしてもよい。
【０２７８】
また、上記実施の形態では、プリンタ付きデジタルカメラ１０がアップロード端末３００と通信不能の場合、アップロードをキャンセルする構成としているが、アップロード用のデータをメモリ７２等に一時的に保管し、次に通信が確立した際に自動的にアップロードする構成としてもよい。この場合、自動的にアップロードすることをユーザが選択できるようにすることがより好ましい。アップロード端末３００が、アップロードに失敗した場合も同様であり、自動的にアップロードする構成としてもよい。たとえば、一定時間経過後に再度アップロードする処理を実施する。
【０２７９】
〈記録情報のプリント〉
上記実施の形態では、二次元コード（記録情報）を画像の一部に重ねてプリントしているが、記録情報のプリント形態は、これに限定されるものではない。画像と記録情報とが重ならないように、両者を排他的にプリントしてもよい。
【０２８０】
図４２は、画像と二次元コードを排他的にプリントする場合の一例を示す図である。
【０２８１】
同図に示す例では、観察領域４２ｈに対して画像を縮小してプリントし、縮小により生成される余白領域に二次元コードＱＲをプリントしている。これにより、二次元コードＱＲと画像とが互いに重ならないようにプリントできる。
【０２８２】
なお、上記実施の形態のように、二次元コード（記録情報）を画像の一部に重ねてプリントする場合、二次元コードをプリントする位置をユーザが選択できるようにすることが好ましい。たとえば、プリントする際、あらかじめ用意された複数のプリント候補位置の中からユーザが一つを選択してプリントするようにしてもよい。たとえば、プリント候補位置として、右下隅、右上隅、左上隅、左下隅の４つの位置を用意し、プリントする際に、ユーザがいずれか一つを選択してプリントするようにしてもよい。プリントされる画像のイメージをディスプレイ２８に表示して、二次元コードをプリントする位置を調整できるようにすることがより好ましい。
【０２８３】
図４３は、プリンタ付きデジタルカメラのディスプレイに表示されるプリントのイメージの遷移図である。
【０２８４】
同図に示す例では、二次元コードＱＲをプリントする位置を画像の右下隅、右上隅、左上隅、左下隅の順で順番に切り替える場合を示している。切り替えは、たとえば、ジョイスティック３２ａの操作で行い、ＯＫボタン２２ｃの押下でプリントする位置を決定する。これにより、プリントのイメージを事前に確認できる。
【０２８５】
《データ保管サーバ》
データ保管サーバ２００は、通信ネットワーク２を介して、アップロード端末３００及びデータ再生端末４００と接続されるが、通信ネットワーク２の形態は限定されない。たとえば、ＬＡＮ（Local Area Network）で構成することもできる。また、通信は有線による方式であってもよい。
【０２８６】
《アップロード端末》
アップロード端末は、スマートフォンなどの携帯可能なコンピュータで構成することが好ましいが、通信機能を備えていれば、据え置きタイプのコンピュータで構成することもできる。
【０２８７】
また、上記実施の形態では、アップロード用のデータをプリンタ付きデジタルカメラで生成する構成としているが、アップロード端末で生成する構成としてもよい。
【０２８８】
また、アップロードするデータをアップロード端末でも保管してもよい。これにより、アップロード端末では、データ保管サーバにアクセスしなくても、アップロードした画像及び音声を閲覧及び視聴できる。
【０２８９】
また、上記実施の形態のシステムでは、プリンタ付きデジタルカメラ１０からデータ保管サーバ２００に画像データ及び音声データをアップロードする際、アップロード端末３００を介してアップロードする構成としているが、プリンタ付きデジタルカメラ１０からデータ保管サーバ２００に直接アップロードする構成としてもよい。この場合、プリンタ付きデジタルカメラ１０に通信ネットワーク２を介した通信機能が備えられる。
【０２９０】
なお、上記実施の形態のシステムのように、アップロード端末３００を介してアップロード端末３００する構成とすることにより、プリンタ付きデジタルカメラ１０の構成を簡素化できる。すなわち、プリンタ付きデジタルカメラ１０には、近距離無線通信の機能だけを備えればよいので、通信のための機能を簡素化できる。
【０２９１】
《データ再生端末》
〈装置構成〉
データ再生端末は、スマートフォンなどの携帯可能なコンピュータで構成することが好ましいが、通信機能、二次元コード（記憶情報）の読み取り機能、再生機能等の機能を備えていれば、据え置きタイプのコンピュータで構成することもできる。
【０２９２】
〈データ再生端末による音声データの書き換え〉
データ保管サーバに保管された音声データをデータ再生端末からの操作で書き換えられるようにしてもよい。
【０２９３】
図４４は、データ保管サーバに保管された音声データの書き換えを可能にするシステムの一例を示すシステム構成図である。
【０２９４】
同図に示すように、データ再生端末４００には、表示部であるディスプレイ４０５に再生表示された画像データに対して、音声データの書き換えを指示する音声データ書き換え指示部４００Ｅ、音声データの書き換えの指示に応じて、書き換え用の音声データを取得する集音制御部４００Ｆ、及び、書き換え用の音声データをデータ保管サーバ２００にアップロードする書き換え用データアップロード部４００Ｇの機能を更に備える。各機能は、データ再生端末４００のＣＰＵ４０１が、所定の制御プログラムを実行することにより実現される。
【０２９５】
音声データ書き換え指示部４００Ｅは、たとえば、画像と共に音声データの書き換えを指示するボタンをディスプレイ４０５に表示し、そのボタンへのタッチ操作を検出して、音声データの書き換えの指示を受け付ける。この他、所定のメニュー画面から音声データの書き換えの指示を受け付ける。
【０２９６】
集音制御部４００Ｆは、集音部であるマイク部４０９を制御して、書き換え用の音声データを取得する。書き換え用の音声データを取得する時間は、あらかじめ定められた一定の時間である（たとえば、１０秒）。
【０２９７】
書き換え用データアップロード部４００Ｇは、音声データの書き換えが指示された画像データの情報を付加して、書き換え用の音声データをデータ保管サーバ２００にアップロードする。
【０２９８】
一方、データ保管サーバ２００は、データ再生端末４００から書き換え用の音声データを受信した場合に、対象のデータを受信したデータで書き換える音声データ書き換え制御部２００Ｄの機能を更に備える。当該機能は、データ保管サーバ２００のＣＰＵ２０１が、所定の制御プログラムを実行することにより実現される。
【０２９９】
図４５は、音声データの書き換えの手順を示すシーケンス図である。
【０３００】
まず、データ再生端末４００において、書き換え用の音声データが取得される。次に、データ再生端末４００がデータ保管サーバ２００に対して接続要求を行う。これに対してデータ保管サーバ２００が応答し、データ再生端末４００とデータ保管サーバ２００との間の通信が確立される。
【０３０１】
次に、データ再生端末４００からデータ保管サーバ２００に書き換え用の音声データがアップロードされる。データの受信に成功すると、データ保管サーバ２００からデータ再生端末４００に受信完了が通知される。
【０３０２】
データ保管サーバ２００は、書き換え用の音声データを受信すると、書き換えの対象の画像データを検索する。そして、検索された画像データに関連付けられた音声データを受信した書き換え用の音声データで書き換える。書き換えが完了すると、書き換えの完了をデータ再生端末４００に通知する。
【０３０３】
以上一連の工程で音声データの書き換えが完了する。この後は、新たに書き換えられた音声データがダウンロードされて、再生される。
【０３０４】
〈画像データの再生処理〉
上記実施の形態のシステムでは、画像中に二次元コードが表示されていない画像データ（記録情報を含まない画像データ）がアップロードされる。この場合、データ再生端末４００では、二次元コードのない画像が再生される。
【０３０５】
データ保管サーバ２００にアップロードする画像は、画像中に二次元コード（記録情報）を含んだ画像データであってもよい。この場合、当該画像データをダウンロードして、そのまま再生処理すると、画像と共に二次元コードも表示される。データ再生端末４００で画像データを再生する際、二次元コードが表示されていると、観賞の邪魔になる場合がある。したがって、データ再生端末４００は、画像中に二次元コードを含む画像データを再生する場合は、二次元コードの部分をマスク等して、再生することが好ましい。たとえば、二次元コードがオーバーレイされている場合は、二次元コードの部分を白塗り等してマスクし、表示されないようにしてもよい。また、たとえば、図４２に示すように、余白部分に二次元コードＱＲが表示されている場合、画像の領域のみをトリミングして再生してもよい。
【０３０６】
《その他の実施の形態》
上記実施の形態では、プリンタ付きデジタルカメラを使用してプリントする場合を例に説明したが、本発明のシステムを構成するプリンタは、撮像部及び集音部のないプリンタで構成することもできる。この場合、プリンタは、携帯式のものに限らず、いわゆる据え置きタイプのプリンタで構成することもできる。
【符号の説明】
【０３０７】
１  再生システム
２  通信ネットワーク
２ａ  基地局
１０  プリンタ付きデジタルカメラ
１２  カメラボディ
１４  撮影レンズ
１６  レリーズボタン
１８  録音ボタン
２０  ストロボ発光窓
２２ａ  電源ボタン
２２ｂ  メニューボタン
２２ｃ  ＯＫボタン
２２ｄ  モード切替えボタン
２４  マイク穴
２６  スピーカ穴
２８  ディスプレイ
３０  フィルム蓋カバー
３２ａ  ジョイスティック
３２ｂ  プリントボタン
３２ｃ  再生ボタン
３２ｄ  キャンセルボタン
３４  フィルム排出口
４０  インスタントフィルムパック
４２  インスタントフィルム
４２ａ  インスタントフィルムの露光面
４２ｂ  インスタントフィルムの観察面
４２ｃ  インスタントフィルムの露光領域
４２ｄ  インスタントフィルムのポッド部
４２ｅ  インスタントフィルムの現像処理液ポッド
４２ｆ  インスタントフィルムのトラップ部
４２ｇ  インスタントフィルムの吸収材
４２ｈ  インスタントフィルムの観察領域
４２ｉ  インスタントフィルムの枠
４４  インスタントフィルムパックのケース
４４ａ  インスタントフィルムパックの露光用開口
４４ｂ  インスタントフィルムパックの排出口
４４ｃ  インスタントフィルムパックのクロー開口部
５０  フィルム装填室
５２  フィルム送出機構
５２ａ  クロー
５４  フィルム搬送機構
５４Ａ  搬送ローラ対
５４Ｂ  展開ローラ対
５６  プリントヘッド
６２  レンズ駆動部
６４  イメージセンサ
６６  イメージセンサ駆動部
６８  アナログ信号処理部
７０  デジタル信号処理部
７２  メモリ
７４  メモリコントローラ
７６  表示コントローラ
７８  近距離無線通信部
８０  アンテナ
８２  フィルム送出駆動部
８４  フィルム搬送駆動部
８６  ヘッド駆動部
８８  ストロボ
９０  ストロボ発光制御部
９２  マイクロフォン
９４  スピーカ
９６  音声信号処理部
９８  操作部
１００  カメラ制御部
１００Ａ  撮影制御部
１００Ｂ  録音制御部
１００Ｃ  識別情報生成部
１００Ｄ  アップロード部
１００Ｅ  通信管理部
１００Ｆ  二次元コード生成部
１００Ｇ  プリント制御部
１００Ｈ  再生制御部
２００  データ保管サーバ
２００Ａ  データ受信制御部
２００Ｂ  データ管理部
２００Ｃ  データ送信制御部
２００Ｄ  音声データ書き換え制御部
２０１  ＣＰＵ
２０２  ＲＯＭ
２０３  ＲＡＭ
２０４  ＨＤＤ
２０５  ディスプレイ
２０６  ネットワークＩ／Ｆ
２０７  キーボード
２０８  マウス
２１０  光学ドライブ
３００  アップロード端末
３００Ａ  アップロード用データ取得部
３００Ｂ  データ送信部
３０１  ＣＰＵ
３０２  ＲＯＭ
３０３  ＲＡＭ
３０５  ディスプレイ
３０６  タッチパネル
３０７  ＧＰＳ受信部
３０８  カメラ部
３０９  マイク部
３１０  スピーカ部
３１１  通信部
３１１Ａ  アンテナ
３１２  近距離無線通信部
３１２Ａ  アンテナ
３１３  センサ部
３１４  メディアドライブ
３１５  メモリカード
４００  データ再生端末
４００Ａ  二次元コード読取部
４００Ｂ  アクセス情報取得部
４００Ｃ  ダウンロード部
４００Ｄ  再生処理部
４００Ｄ１  表示制御部
４００Ｄ２  音声出力制御部
４００Ｅ  音声データ書き換え指示部
４００Ｆ  集音制御部
４００Ｇ  書き換え用データアップロード部
４０１  ＣＰＵ
４０２  ＲＯＭ
４０３  ＲＡＭ
４０４  ＥＥＰＲＯＭ
４０５  ディスプレイ
４０６  タッチパネル
４０７  ＧＰＳ受信部
４０８  カメラ部
４０９  マイク部
４１０  スピーカ部
４１１  通信部
４１１Ａ  アンテナ
４１２  近距離無線通信部
４１２Ａ  アンテナ
４１３  センサ部
４１４  メディアドライブ
４１５  メモリカード
ＩＭ  画像
ＭＥ  メッセージ
ＰＲＩ０  画像
ＰＲＩ１  画像データ
ＰＶＩ  画像
ＱＲ  二次元コード
ＶＰＢ  音声再生ボタン
Ｓ１〜Ｓ５  各モードへの設定の手順
Ｓ１１〜Ｓ１２  マニュアルプリントモードでの動作手順
Ｓ２１〜Ｓ２８  マニュアルプリントモードにおいて、録音モードがオフの場合の動作手順
Ｓ３１〜Ｓ３８  マニュアルプリントモードにおいて、通常録音モードがオンされた場合の動作手順
Ｓ４１〜Ｓ５１  マニュアルプリントモードにおいて、アフレコモードがオンされた場合の動作手順
Ｓ６１〜Ｓ６２  オートプリントモードでの動作手順
Ｓ７１〜Ｓ７６  オートプリントモードにおいて、録音モードがオフの場合の動作手順
Ｓ８１〜Ｓ８６  オートプリントモードにおいて、通常録音モードがオンされた場合の動作手順
Ｓ９１〜Ｓ１００  オートプリントモードにおいて、アフレコモードがオンされた場合の動作手順
Ｓ１１０〜Ｓ１１８  再生モードでの動作手順
Ｓ１２０〜Ｓ１２７  画像をプリントする際の処理手順
Ｓ１３０〜Ｓ１３５  アップロード処理の手順
Ｓ１４０〜Ｓ１４４  通信不能又はアップロード処理に失敗した場合の処理の手順
Ｓ１５０〜Ｓ１５３  画像データ及び音声データをダウンロードして再生する処理の手順
Ｓ１６０〜Ｓ１６５  プリンタ付きデジタルカメラにおいて、撮影後に音声付きの画像データを生成する場合の処理の手順
Ｓ１７０〜Ｓ１７４  録音処理の手順
Ｓ１８０〜Ｓ１８８  プリンタ付きデジタルカメラにおいて、音声データを書き換える場合の処理の手順
Ｓ１９０〜Ｓ１９４  音声データを書き換える場合の録音処理の手順
【図１】
2020042732.tif 000003
【図２】
2020042732.tif 000004
【図３】
2020042732.tif 000005
【図４】
2020042732.tif 000006
【図５】
2020042732.tif 000007
【図６】
2020042732.tif 000008
【図７】
2020042732.tif 000009
【図８】
2020042732.tif 000010
【図９】
2020042732.tif 000011
【図１０】
2020042732.tif 000012
【図１１】
2020042732.tif 000013
【図１２】
2020042732.tif 000014
【図１３】
2020042732.tif 000015
【図１４】
2020042732.tif 000016
【図１５】
2020042732.tif 000017
【図１６】
2020042732.tif 000018
【図１７】
2020042732.tif 000019
【図１８】
2020042732.tif 000020
【図１９】
2020042732.tif 000021
【図２０】
2020042732.tif 000022
【図２１】
2020042732.tif 000023
【図２２】
2020042732.tif 000024
【図２３】
2020042732.tif 000025
【図２４】
2020042732.tif 000026
【図２５】
2020042732.tif 000027
【図２６】
2020042732.tif 000028
【図２７】
2020042732.tif 000029
【図２８】
2020042732.tif 000030
【図２９】
2020042732.tif 000031
【図３０】
2020042732.tif 000032
【図３１】
2020042732.tif 000033
【図３２】
2020042732.tif 000034
【図３３】
2020042732.tif 000035
【図３４】
2020042732.tif 000036
【図３５】
2020042732.tif 000037
【図３６】
2020042732.tif 000038
【図３７】
2020042732.tif 000039
【図３８】
2020042732.tif 000040
【図３９】
2020042732.tif 000041
【図４０】
2020042732.tif 000042
【図４１】
2020042732.tif 000043
【図４２】
2020042732.tif 000044
【図４３】
2020042732.tif 000045
【図４４】
2020042732.tif 000046
【図４５】
2020042732.tif 000047